(57)【要約】【課題】複数の感光ドラムの相対的な位置関係を一定に保つことができながら、材料コストの低減および軽量化を図ることができる画像形成装置を提供すること。【解決手段】  本体ケーシング２は、樹脂から形成されるドラム支持フレーム１０２と、そのドラム支持フレーム１０２を支持する第２樹脂フレーム１００とを備える。そして、複数の感光ドラム１５の右端部のそれぞれを、ドラム支持フレーム１０２に支持させる。【選択図】図２２
2014063076.tif 000002
【特許請求の範囲】
【請求項１】
筐体と、
前記筐体内において互いに間隔を隔てて並列配置され、軸線を中心として回転するように構成される複数の感光ドラムと、
前記複数の感光ドラムのそれぞれに対応して設けられ、対応する前記感光ドラムに現像剤を供給するように構成される複数の現像装置と、を備え、
前記筐体は、
樹脂から形成され、前記複数の感光ドラムにおける前記軸線の延びる軸線方向一方側端部のそれぞれを支持するように構成される第１フレームと、
樹脂から形成され、前記第１フレームに対して前記軸線方向外側に配置される第２フレームとを備え、
前記第１フレームは、
前記軸線方向に投影したときに、前記第１フレームの投影面が前記第２フレームの投影面内に含まれるように、前記第２フレームに支持されていることを特徴とする、画像形成装置。
【請求項２】
前記第１フレームは、前記第２フレームよりも熱膨張率が小さいことを特徴とする、請求項１に記載の画像形成装置。
【請求項３】
前記第１フレームは、
第１係合部と、
前記第１係合部から、前記複数の感光ドラムの並列方向に間隔を隔てて配置される第２係合部とを有し、
前記第２フレームは、
前記第１係合部と係合することにより、前記第２フレームに対する前記第１フレームの前記並列方向への相対移動を規制する第１被係合部と、
前記第２係合部と係合することにより、前記第２フレームに対する前記第１フレームの前記軸線方向および前記並列方向の両方向と直交する直交方向への移動を規制する第２被係合部とを有していることを特徴とする、請求項２に記載の画像形成装置。
【請求項４】
前記第１フレームは、前記現像装置と電気的に接続されるように構成される電極部材を支持していることを特徴とする、請求項１〜３のいずれか一項に記載の画像形成装置。
【請求項５】
前記電極部材を介して、前記現像装置に電力を供給するように構成される基板を備え、
前記基板は、
前記第２フレームに対して前記軸線方向外側に配置され、
前記第１フレームには、
前記軸線方向に貫通して形成される第１貫通口が形成され、
前記第２フレームには、
前記軸線方向に貫通して形成される第２貫通口が形成され、
前記電極部材は、
前記軸線方向に延びるばね部を有し、
前記電極部材の前記軸線方向内側端部は、前記第１貫通口を介して、前記現像装置と接触し、前記電極部材の前記軸線方向外側端部は、前記第２貫通口を介して、前記基板と接触していることを特徴とする、請求項４に記載の画像形成装置。
【請求項６】
前記複数の感光ドラムのそれぞれは、前記筐体に対して着脱可能に構成され、
前記第１フレームには、
前記感光ドラムが装着されたときに、前記感光ドラムの前記軸線方向一方側端部を支持するように構成される支持部が設けられていることを特徴とする、請求項１〜５のいずれか一項に記載の画像形成装置。
【請求項７】
前記第１フレームには、前記感光ドラムが前記筐体に対して着脱されるときに、前記感光ドラムの前記軸線方向一方側端部を案内する案内溝が形成されていることを特徴とする、請求項６に記載の画像形成装置。
【請求項８】
前記感光ドラムを露光するように構成され、前記複数の感光ドラムのそれぞれに対応して設けられる複数の露光装置を備え、
前記第１フレームには、
前記複数の露光装置の前記軸線方向一方側端部のそれぞれを、前記複数の感光ドラムの並列位置決めするように構成される露光位置決め部が設けられていることを特徴とする、請求項１〜７のいずれか一項に記載の画像形成装置。
【請求項９】
前記感光ドラムに向かってシートを供給するように構成されるシート供給装置を備え、
前記第１フレームには、
前記シート供給装置の前記軸線方向一方側端部を、前記複数の感光ドラムの並列方向において位置決めするように構成される供給位置決め部が設けられていることを特徴とする、請求項１〜８のいずれか一項に記載の画像形成装置。
【請求項１０】
現像剤が供給されることにより前記感光ドラムの周面に形成される現像剤像が、前記感光ドラムの周面から転写されたシートにおいて、前記現像剤像を定着させるように構成される定着装置を備え、
前記第１フレームには、
前記定着装置の前記軸線方向一方側端部を、前記複数の感光ドラムの並列方向において位置決めするように構成される定着位置決め部が設けられていることを特徴とする、請求項１〜９のいずれか一項に記載の画像形成装置。
【請求項１１】
前記筐体は、
前記第２フレームに対して、前記複数の感光ドラムを挟むように、前記軸線方向に間隔を隔てて対向配置される第３フレームと、
前記第２フレームにおける前記複数の感光ドラムの並列方向一方側部分と、前記第３フレームにおける前記並列方向一方側部分との間に架設される第１連結部と、
前記第２フレームにおける前記並列方向他方側部分と、前記第３フレームにおける前記並列方向他方側部分との間に架設される第２連結部とを備えていることを特徴とする、請求項１〜１０のいずれか一項に記載の画像形成装置。
【請求項１２】
前記筐体は、
前記軸線方向における前記第１フレームと前記第２フレームとの間に配置され、金属から形成されるプレートを備え、
前記プレートは、
前記並列方向における前記第１連結部と前記第２連結部との間に配置されるように、前記第１フレームに支持されていることを特徴とする、請求項１１記載の画像形成装置。
【請求項１３】
前記プレートは、
前記軸線方向に投影したときに、前記複数の感光ドラムのそれぞれと重なるように配置されており、
前記複数の感光ドラムのそれぞれと電気的に接続されていることを特徴とする、請求項１２に記載の画像形成装置。
【請求項１４】
前記第２フレームには、前記軸線方向および前記複数の感光ドラムの並列方向の両方向と直交する直交方向における端部に、金属から形成される補強板が設けられていることを特徴とする、請求項１〜１３のいずれか一項に記載の画像形成装置。
【請求項１５】
前記第１フレームには、係合部が設けられ、
前記補強板には、前記係合部に係合される被係合部が設けられていることを特徴とする、請求項１４に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、筐体と、筐体内において並列配置され、イエロー、マゼンタ、シアンおよびブラックの各色に対応して設けられる複数の感光ドラムとを備えるタンデム型カラー電子写真プリンタが知られている。このようなタンデム型カラー電子写真プリンタにおいては、筐体内に設けられる金属製のフレームにより、複数の感光ドラムのそれぞれが位置決めされる。
【０００３】
例えば、複数の感光ドラムに対して、感光ドラムの軸線方向の両側に配置され、それぞれ板金から形成される前側ピッチ位置決め部および後側ピッチ位置決め部を備えるプリンタが提案されている（例えば、特許文献１参照）。
【０００４】
そして、複数の感光ドラムのそれぞれは、その前端部が前側ピッチ位置決め部材に当接するとともに、その後端部が後側ピッチ位置決め部材に当接することにより、複数の感光ドラムの並列方向において位置決めされている。
【先行技術文献】
【特許文献】
【０００５】
【特許文献１】特開２００７−１４００４１号公報
【発明の概要】
【発明が解決しようとする課題】
【０００６】
しかるに、特許文献１に記載のプリンタが備える前側ピッチ位置決め部および後側ピッチ位置決め部のそれぞれは、板金から形成されており、複数の感光ドラムの相対的な位置関係を一定に保つことができる精度および剛性を有する。
【０００７】
そのため、このような前側ピッチ位置決め部および後側ピッチ位置決め部は、材料コストがかかり、また、それらの重量は増加してしまうという不具合がある。
【０００８】
その結果、前側ピッチ位置決め部および後側ピッチ位置決め部を備えるプリンタでは、材料コストの低減および軽量化を図るには限度がある。
【０００９】
そこで、本発明の目的は、複数の感光ドラムの相対的な位置関係を一定に保つことができながら、材料コストの低減および軽量化を図ることができる画像形成装置を提供することにある。
【課題を解決するための手段】
【００１０】
（１）上記した目的を達成するために、本発明の画像形成装置は、筐体と、筐体内において互いに間隔を隔てて並列配置され、軸線を中心として回転するように構成される複数の感光ドラムと、複数の感光ドラムのそれぞれに対応して設けられ、対応する感光ドラムに現像剤を供給するように構成される複数の現像装置と、を備えている。
【００１１】
筐体は、樹脂から形成され、複数の感光ドラムにおける軸線の延びる軸線方向一方側端部のそれぞれを支持するように構成される第１フレームと、樹脂から形成され、第１フレームに対して軸線方向外側に配置される第２フレームとを備えている。
【００１２】
第１フレームは、軸線方向に投影したときに、第１フレームの投影面が第２フレームの投影面内に含まれるように、第２フレームに支持されている。
【００１３】
このような構成によれば、複数の感光ドラムの軸線方向一方側端部のそれぞれが第１フレームに支持され、その第１フレームが、軸線方向から見て第１フレームよりも大きい第２フレームに支持されている。
【００１４】
つまり、複数の感光ドラムの軸線方向一方側端部のそれぞれを支持する第１フレームは、画像形成装置の主体的なフレームとなる部分である第２フレームにも支持されている。
【００１５】
そのため、感光ドラムの軸線方向一方側端部を支持するフレーム、すなわち第１フレームおよび第２フレームの剛性を確保することができ、感光ドラムの軸線方向一方側端部の筐体に対する位置決め精度の向上を図ることができる。
【００１６】
その結果、第１フレームおよび第２フレームのそれぞれが樹脂から形成されていても、複数の感光ドラムの相対的な位置関係を一定に保つことができる。
【００１７】
従って、複数の感光ドラムの相対的な位置関係を一定に保つことができながら、材料コストの低減および軽量化を図ることができる。
【００１８】
また、上記の構成によれば、第１フレームと第２フレームとを備えているので、第１フレームおよび第２フレームのそれぞれを適した材料の樹脂から形成することができる。
（２）また、第１フレームは、第２フレームよりも熱膨張率が小さくてもよい。
【００１９】
このような構成によれば、感光ドラムの軸線方向一方側端部を支持する第１フレームの熱膨張率が、第２フレームの熱膨張率よりも小さいので、第１フレームの温度変化に起因する変形を抑制できる。
【００２０】
そのため、温度が変化した場合であっても、複数の感光ドラムの相対的な位置関係の変化を抑制できる。
【００２１】
また、上記の構成によれば、相対的に熱膨張率が小さい樹脂から形成される第１フレームが、相対的に熱膨張率が大きい樹脂から形成される第２フレームに支持されている。しかるに、熱膨張率が小さい樹脂は、熱膨張率が大きい樹脂よりも一般的に高価である。
【００２２】
つまり、複数の感光ドラムの軸線方向一方側端部を支持する部分、すなわち第１フレームのみを高価な樹脂から形成し、その他の部分、すなわち第２フレームを、安価な樹脂から形成することができるので、材料コストのさらなる低減を図ることができる。
（３）また、第１フレームは、第１係合部と、第１係合部から、複数の感光ドラムの並列方向に間隔を隔てて配置される第２係合部とを有していてもよい。
【００２３】
この場合、第２フレームは、第１係合部と係合することにより、第２フレームに対する第１フレームの並列方向への相対移動を規制する第１被係合部と、第２係合部と係合することにより、第２フレームに対する第１フレームの軸線方向および並列方向の両方向と直交する直交方向への移動を規制する第２被係合部とを有している。
【００２４】
このような構成によれば、第１係合部と第１被係合部との係合部分において、第１フレームは、第２フレームに対する並列方向への相対移動が規制されるとともに、第２フレームに対する直交方向への相対移動が許容されている。
【００２５】
また、第２係合部と第２被係合部との係合部分において、第１フレームは、第２フレームに対する直交方向への相対移動が規制されるとともに、第２フレームに対する並列方向への相対移動が許容されている。
【００２６】
そのため、温度変化に起因して第２フレームが変形すると、第１係合部と第１被係合部との係合部分において、第２フレームの直交方向への変形が許容され、第２係合部と第２被係合部との係合部分において、第２フレームの並列方向への変形が許容される。
【００２７】
その結果、温度変化に起因して第２フレームが変形しても、感光ドラムの軸線方向一方側端部を支持する第１フレームが第２フレームの変形に追従して変形することを抑制できる。
【００２８】
従って、温度変化が生じても、複数の感光ドラムの相対的な位置関係の変化を一層確実に抑制できる。
（４）また、第１フレームは、現像装置と電気的に接続されるように構成される電極部材を支持していてもよい。
【００２９】
しかるに、金属から形成されるフレームに電極部材を支持させると、フレームと電極部材とを電気的に絶縁するための構成が必要となり、フレームまたは電極部材の構成が複雑化する場合や、電極部材の配置が制約される場合がある。
【００３０】
これに対して、上記の構成によれば、樹脂から形成される第１フレームに電極部材が支持されているので、第１フレームと電極部材とを電気的に絶縁するための構成を別途設ける必要がなく、第１フレームまたは電極部材の構成を簡略化でき、また、電極部材の配置の自由度の向上を図ることができる。
（５）また、電極部材を介して、現像装置に電力を供給するように構成される基板を備えていてもよい。
【００３１】
この場合、基板は、第２フレームに対して軸線方向外側に配置され、第１フレームには、軸線方向に貫通して形成される第１貫通口が形成され、第２フレームには、軸線方向に貫通して形成される第２貫通口が形成されている。また、電極部材は、軸線方向に延びるばね部を有し、電極部材の軸線方向内側端部は、第１貫通口を介して、現像装置と接触し、電極部材の軸線方向外側端部は、第２貫通口を介して、基板と接触している。
【００３２】
このような構成によれば、電極部材が軸線方向に延びるばね部を有し、電極部材の軸線方向内側端部が、第１フレームの第１貫通口を介して、現像装置と接触し、電極部材の軸線方向外側端部が、第２貫通口を介して、基板と接触している。
【００３３】
そのため、電極部材のばね部の付勢力により、電極部材と現像装置との接触、および、電極部材と基板との接触を確実に確保することができる。その結果、基板からの電力を電極部材を介して現像装置に確実に供給することができる。
【００３４】
また、電極部材の軸線方向内側端部が現像装置と接触し、電極部材の軸線方向外側端部が基板と接触しているので、軸線方向に延びるばね部の付勢力は、現像装置および基板のそれぞれに作用し、第１フレームおよび第２フレームのそれぞれに作用することが抑制される。
【００３５】
そのため、第１フレームおよび第２フレームのそれぞれが、ばね部の付勢力により変形することを抑制できる。
【００３６】
従って、基板からの電力を電極部材を介して現像装置に確実に供給することができながら、第１フレームおよび第２フレームのそれぞれが、変形することを抑制できる。
（６）また、複数の感光ドラムのそれぞれは、筐体に対して着脱可能に構成されていてもよい。
【００３７】
この場合、第１フレームには、感光ドラムが装着されたときに、感光ドラムの軸線方向一方側端部を支持するように構成される支持部が設けられている。
【００３８】
このような構成によれば、複数の感光ドラムのそれぞれが筐体に対して着脱可能に構成されているので、感光ドラムが寿命を迎えた場合において、寿命を迎えた感光ドラムのみを交換することができる。
【００３９】
そのため、複数の感光ドラムが筐体に対して着脱不能に構成されている場合と比較して、ランニングコストの低減を図ることができる。
（７）また、第１フレームには、感光ドラムが筐体に対して着脱されるときに、感光ドラムの軸線方向一方側端部を案内する案内溝が形成されていてもよい。
【００４０】
このような構成によれば、感光ドラムが筐体に対して着脱されるときに、感光ドラムの軸線方向一方側端部が、第１フレームに形成される案内溝に案内される。
【００４１】
そのため、感光ドラムの筐体に対する円滑な着脱動作を確保することができる。
【００４２】
また、案内溝は、樹脂から形成される第１フレームに形成されているので、案内溝を有する第１フレームは、樹脂から一体成形することができ、製造コストの低減を図ることができる。
（８）また、感光ドラムを露光するように構成され、複数の感光ドラムのそれぞれに対応して設けられる複数の露光装置を備えていてもよい。
【００４３】
この場合、第１フレームには、複数の露光装置の軸線方向一方側端部のそれぞれを、複数の感光ドラムの並列方向において位置決めするように構成される露光位置決め部が設けられている。
【００４４】
このような構成によれば、露光装置の軸線方向一方側端部が、第１フレームの露光位置決め部により並列方向において位置決めされているので、露光装置の軸線方向一方側端部と、感光ドラムの軸線方向一方側端部とがともに、第１フレームに位置決めされている。
【００４５】
そのため、感光ドラムと、その感光ドラムに対応する露光装置との相対的な位置決め精度の向上を図ることができ、露光装置が対応する感光ドラムを確実に露光することができる。
（９）また、感光ドラムに向かってシートを供給するように構成されるシート供給装置を備えていてもよい。
【００４６】
この場合、第１フレームには、シート供給装置の軸線方向一方側端部を、複数の感光ドラムの並列方向において位置決めするように構成される供給位置決め部が設けられている。
【００４７】
このような構成によれば、シート供給装置の軸線方向一方側端部が、第１フレームの供給位置決め部により位置決めされている。
【００４８】
つまり、シート供給装置の軸線方向一方側端部と、感光ドラムの軸線方向一方側端部とがともに、第１フレームに位置決めされている。
【００４９】
そのため、シート供給装置と、複数の感光ドラムのそれぞれとの相対的な位置決め精度の向上を図ることができ、シート供給装置からシートを感光ドラムに向かって確実に供給することができる。
（１０）また、現像剤が供給されることにより感光ドラムの周面に形成される現像剤像が、感光ドラムの周面から転写されたシートにおいて、現像剤像を定着させるように構成される定着装置を備えていてもよい。
【００５０】
この場合、第１フレームには、定着装置の軸線方向一方側端部を、複数の感光ドラムの並列方向において位置決めするように構成される定着位置決め部が設けられている。
【００５１】
このような構成によれば、定着装置の軸線方向一方側端部が、第１フレームの定着位置決め部により位置決めされている。
【００５２】
つまり、定着装置の軸線方向一方側端部と、感光ドラムの軸線方向一方側端部とがともに、第１フレームに位置決めされている。
【００５３】
そのため、定着装置と、複数の感光ドラムのそれぞれとの相対的な位置決め精度の向上を図ることができ、感光ドラムの周面から転写された現像剤像を、確実にシートに定着させることができる。
（１１）また、筐体は、第２フレームに対して、複数の感光ドラムを挟むように、軸線方向に間隔を隔てて対向配置される第３フレームと、第２フレームにおける複数の感光ドラムの並列方向一方側部分と、第３フレームにおける並列方向一方側部分との間に架設される第１連結部と、第２フレームにおける並列方向他方側部分と、３フレームにおける並列方向他方側部分との間に架設される第２連結部とを備えていてもよい。
【００５４】
このような構成によれば、筐体が、第２フレームと第３フレームとを連結する第１連結部および第２連結部を備えているので、第２フレームと第３フレームとの相対的な位置関係を一定に保つことができるとともに、筐体全体の剛性の向上を図ることができる。
（１２）また、筐体は、軸線方向における第１フレームと第２フレームとの間に配置され、金属から形成されるプレートを備えていてもよい。
【００５５】
この場合、プレートは、並列方向における第１連結部と第２連結部との間に配置されるように、第１フレームに支持されている。
【００５６】
しかるに、第２フレームにおいて、並列方向における第１連結部と第２連結部との間の部分は、その他の部分と比較して、温度変化に起因する変形が生じやすい。第２フレームが変形すると、第２フレームに支持される第１フレームが、第２フレームの変形に追従して変形する場合がある。
【００５７】
これに対して、上記の構成によれば、金属から形成されるプレートが、並列方向における第１連結部と第２連結部との間に配置されるように、第１フレームに支持されているので、第１フレームが変形することを抑制でき、さらには、第２フレームが変形することも抑制できる。
【００５８】
そのため、第１フレームに支持される感光ドラムの軸線方向一方側端部の筐体に対する位置決め精度のさらなる向上を図ることができる。
（１３）また、プレートは、軸線方向に投影したときに、複数の感光ドラムのそれぞれと重なるように配置されており、複数の感光ドラムのそれぞれと電気的に接続されていてもよい。
【００５９】
このような構成によれば、プレートが複数の感光ドラムのそれぞれと電気的に接続されているので、プレートをアースの一部として構成することができる。
【００６０】
そのため、第１フレームの変形を抑制することができながら、プレートを有効に活用でき、複数の感光ドラムのそれぞれを、プレートを介して接地させることができる。
（１４）また、第２フレームには、軸線方向および複数の感光ドラムの並列方向の両方向と直交する直交方向における端部に、金属から形成される補強板が設けられていてもよい。
【００６１】
このような構成によれば、第２フレームの直交方向端部に、金属から形成される補強板が設けられているので、第２フレームの温度変化に起因する変形を確実に抑制することができる。
（１５）また、第１フレームには、係合部が設けられていてもよい。
【００６２】
この場合、補強板には、係合部に係合される被係合部が設けられている。
【００６３】
このような構成によれば、第１フレームの係合部を、補強板の被係合部に係合させることができる。
【００６４】
そのため、第１フレームの温度変化に起因する変形を確実に抑制することができる。
【発明の効果】
【００６５】
本発明の画像形成装置によれば、複数の感光ドラムの相対的な位置関係を一定に保つことができながら、材料コストの低減および軽量化を図ることができる。
【図面の簡単な説明】
【００６６】
【図１】図１は、本発明の画像形成装置の一実施形態としてのプリンタを示す中央断面図である。
【図２】図２は、図１に示すプロセスカートリッジを右後側から見た斜視図である。
【図３】図３（ａ）は、図２に示すプロセスカートリッジの右側面図を示し、図３（ｂ）は、図２に示すプロセスカートリッジの左側面図を示す。
【図４】図４は、図１に示す本体ケーシング（プロセスカートリッジが装着された状態）を左前側から見た斜視図である。
【図５】図５は、図４に示す本体ケーシング（プロセスカートリッジが装着された状態）を左後側から見た斜視図である。
【図６】図６は、図４に示す本体ケーシング（プロセスカートリッジを除いた状態）を左前側から見た斜視図である。
【図７】図７は、図６に示す本体ケーシング（プロセスカートリッジを除いた状態）を右後側から見た斜視図である。
【図８】図８は、図６に示す本体ケーシング（プロセスカートリッジを除いた状態）を右前側から見た分解斜視図である。
【図９】図９は、図８に示す左側壁を左前側から見た分解斜視図である。
【図１０】図１０は、図６に示す左側壁の左側面図である。
【図１１】図１１は、図１０に示す左側壁の右側面図である。
【図１２】図１２は、図１１に示す第１ＬＥＤ位置決め部材の断面図である。
【図１３】図１３は、図８に示す右側壁を右前側から見た分解斜視図である。
【図１４】図１４は、図８に示す右側壁の右側面図である。
【図１５】図１５は、図１４に示す右側壁を右前側から見た斜視図である。
【図１６】図１６は、図１５に示す右側壁の左側面図である。
【図１７】図１７は、図１３に示すドラム支持フレームの左側面図である。
【図１８】図１８は、図１５に示す右側壁を右前側から見た斜視図であり、第２樹脂フレームを除いた状態を示す。
【図１９】図１９は、図１５に示す右側壁を左前側から見た斜視図であり、ドラム支持フレームを除いた状態を示す。
【図２０】図２０は、図１５に示す右側壁を左前側から見た斜視図である。
【図２１】図２１は、図２０に示す第２ＬＥＤ位置決め部材の断面図である。
【図２２】図２２は、図１５に示す右側壁の左側面図であって、プロセスカートリッジが装着された状態を示す。
【図２３】図２３は、図２２に示すＡ−Ａ断面図を示す。
【図２４】図２４は、図２２に示すＢ−Ｂ断面図を示す。
【発明を実施するための形態】
【００６７】
１．プリンタの全体構成
画像形成装置の一例としてのプリンタ１は、図１に示すように、横置きタイプのダイレクトタンデム型カラープリンタである。
【００６８】
また、プリンタ１は、筐体の一例としての本体ケーシング２と、本体ケーシング２の上側に設けられ、原稿の画像情報を読み取るフラットベッドスキャナ３０とを一体的に備える複合機である。
【００６９】
なお、以下の説明において、プリンタ１の方向に言及するときには、プリンタ１を水平に載置した状態を基準として、図１における紙面上側を上側とし、図１における紙面下側を下側とする。また、図１における紙面左側を前側とし、図１における紙面右側を後側とする。また、プリンタ１を前側から見たときを左右の基準とする。すなわち、図１における紙面手前側が右側であり、図１における紙面奥側が左側である。
【００７０】
プリンタ１は、本体ケーシング２内において、シートの一例としての用紙Ｓを給紙するように構成される給紙部３と、給紙された用紙Ｓに画像を形成するように構成される画像形成部４とを備えている。
（１）本体ケーシング
本体ケーシング２は、給紙部３および画像形成部４を収容する側面視略矩形状のボックス形状に形成されている。本体ケーシング２の上端部には、後述するプロセスカートリッジ１１を着脱するための本体開口部５が形成されるとともに、本体開口部５を開閉するためのトップカバー６が設けられている。
【００７１】
そして、トップカバー６は、その後端部を支点として、本体開口部５を閉鎖する閉鎖位置、すなわち図１に示した状態と、本体開口部５を開放する開放位置とに揺動可能に設けられている。
（２）給紙部
給紙部３は、給紙トレイ７と、シート供給装置の一例としての給紙ユニット３６とを備えている。
【００７２】
給紙トレイ７は、分離パッド４４を備え、用紙Ｓを収容しており、本体ケーシング２の底部に着脱自在に装着されている。
【００７３】
給紙ユニット３６は、給紙トレイ７の前端部の上側に設けられており、ピックアップローラ８と、分離ローラ５８と、１対の給紙ローラ９と、1対のレジストローラ１０とを備えている。
【００７４】
給紙トレイ７に収容されている用紙Ｓは、ピックアップローラ８の回転により、給紙トレイ７から送り出され、分離パッド４４と分離ローラ５８との摩擦により、１枚ずつ捌かれる。その後、捌かれた用紙Ｓは、給紙ローラ９の回転により、上方の1対のレジストローラ１０間に向けて１枚ずつ給紙され、レジストローラ１０の回転により、所定のタイミングで、画像形成部４に向けて搬送され、後述する感光ドラム１５と後述する搬送ベルト１９との間に供給される。
（３）画像形成部
画像形成部４は、イエロー、マゼンタ、シアンおよびブラックからなる複数色のそれぞれに対応する現像装置の一例としての複数のプロセスカートリッジ１１と、露光装置の一例としてのＬＥＤユニット１２と、転写ユニット１３と、定着装置の一例としての定着ユニット１４とを備えている。
（３−１）プロセスカートリッジ
複数のプロセスカートリッジ１１は、具体的には、４つ設けられ、給紙トレイ７の上側において、前後方向に互いに間隔を隔てて並列配置されている。
【００７５】
また、複数のプロセスカートリッジ１１のそれぞれは、本体ケーシング２に対して着脱可能に構成されており、ドラムカートリッジ２４と、現像カートリッジ２５とを備えている。
【００７６】
ドラムカートリッジ２４は、本体ケーシング２に対して離脱可能に装着されており、感光ドラム１５と、スコロトロン型帯電器２６と、クリーニングローラ３５とを備えている。
【００７７】
感光ドラム１５は、左右方向に長手の円筒形状に形成されており、ドラムカートリッジ２４に、回転可能に支持されている。つまり、感光ドラム１５は、複数のプロセスカートリッジ１１のそれぞれに対応して複数、具体的には、４つ設けられ、本体ケーシング２内において前後方向に互いに間隔を隔てて並列配置されている。また、感光ドラム１５は、本体ケーシング２に対して離脱可能に装着されるドラムカートリッジ２４に支持されているので、本体ケーシング２に対して着脱可能である。
【００７８】
スコロトロン型帯電器２６は、感光ドラム１５の後上側において間隔を隔てて対向配置されており、帯電ワイヤ３３と、グリッド３４とを備えている。
【００７９】
帯電ワイヤ３３は、左右方向に延びるように張設され、感光ドラム１５の後上側に間隔を隔てて対向配置されている。
【００８０】
グリッド３４は、後上方へ向かって開放される側面視略コ字状に形成され、帯電ワイヤ３３を前下側から囲うように設けられている。
【００８１】
クリーニングローラ３５は、複数の感光ドラム１５のそれぞれに対応して複数、具体的には、４つ設けられ、スコロトロン型帯電器２６の下側において、感光ドラム１５に後側から接触するように配置されている。
【００８２】
現像カートリッジ２５は、対応するドラムカートリッジ２４に対して離脱可能に装着されており、複数の感光ドラム１５のそれぞれに対応して複数、具体的には、４つ設けられている。
【００８３】
また、現像カートリッジ２５は、現像ローラ１６を備えている。
【００８４】
現像ローラ１６は、現像カートリッジ２５の下端部において後下側から露出されるように設けられ、感光ドラム１５に対して前上側から接触している。
【００８５】
また、現像カートリッジ２５は、現像ローラ１６にトナーを供給する供給ローラ２７と、現像ローラ１６に供給されたトナーの厚みを規制する層厚規制ブレード２８とを備え、それらの上側において、現像剤の一例としてのトナーを収容している。
（３−２）ＬＥＤユニット
ＬＥＤユニット１２は、複数の感光ドラム１５のそれぞれに対応して複数、具体的には、４つ設けられている。
【００８６】
そして、ＬＥＤユニット１２は、対応する感光ドラム１５に上側から対向するように配置されている。
（３−３）転写ユニット
転写ユニット１３は、給紙トレイ７の上側、かつ、複数のプロセスカートリッジ１１の下側において、前後方向に沿って延びるように設けられている。
【００８７】
転写ユニット１３は、駆動ローラ１７と、従動ローラ１８と、搬送ベルト１９と、転写ローラ２０と、ベルトクリーニングユニット２９とを備えている。
【００８８】
駆動ローラ１７および従動ローラ１８は、前後方向に互いに間隔を隔てて対向配置されている。
【００８９】
搬送ベルト１９は、複数の感光ドラム１５のそれぞれに対して下側から対向され、その上側部分が感光ドラム１５と接触するように、駆動ローラ１７および従動ローラ１８の周りに掛け渡されている。
【００９０】
そして、搬送ベルト１９は、駆動ローラ１７の駆動により、感光ドラム１５と接触する上側部分が前側から後側に向かって移動するように、周回移動されている。
【００９１】
転写ローラ２０は、複数の感光ドラム１５のそれぞれに対応して複数、具体的には、４つ設けられ、対応する感光ドラム１５に対して、搬送ベルト１９の上側部分を挟んで対向するように配置されている。
【００９２】
ベルトクリーニングユニット２９は、搬送ベルト１９の下側に配置され、側面視略矩形状の廃トナーボックス８５と、廃トナーボックス８５内の上端部に設けられるベルトクリーニングローラ８６と、掻き取りローラ８７と、掻き取りブレード８８とを備えている。なお、後述する画像形成動作において、搬送ベルト１９の表面に付着した紙粉や廃トナーなどの付着物は、ベルトクリーニングローラ８６によってクリーニングされ、一旦、掻き取りローラ８７に保持された後、掻き取りブレード８８で掻き取られることにより、廃トナーボックス８５内に収容される。
（３−４）定着ユニット
定着ユニット１４は、転写ユニット１３の後側に配置され、加熱ローラ２１と、加熱ローラ２１に圧接される加圧ローラ２２とを備えている。
（４）画像形成動作
現像カートリッジ２５内のトナーは、供給ローラ２７に供給され、さらに、現像ローラ１６に供給され、供給ローラ２７と現像ローラ１６との間で正極性に摩擦帯電される。
【００９３】
現像ローラ１６に供給されたトナーは、現像ローラ１６の回転に伴って、層厚規制ブレード２８によって厚さが規制され、一定厚さの薄層として現像ローラ１６の表面に担持される。
【００９４】
一方、感光ドラム１５の周面すなわち表面は、スコロトロン型帯電器２６によって一様に帯電された後、ＬＥＤユニット１２によって、所定の画像データに基づき露光される。これにより、感光ドラム１５の周面には、画像データに基づく静電潜像が形成される。そして、現像ローラ１６に担持されるトナーが感光ドラム１５の周面上の静電潜像に供給される。これにより、感光ドラム１５の周面上にトナー像すなわち現像剤像が担持される。つまり、現像カートリッジ２５は、対応する感光ドラム１５にトナーを供給する。
【００９５】
そして、給紙部３から給紙された用紙Ｓは、搬送ベルト１９によって、前側から後側に向かって搬送される。用紙Ｓには、感光ドラム１５と転写ローラ２０との間を通過するときに各色のトナー像が順次転写され、カラー画像が形成される。
【００９６】
そして、感光ドラム１５の周面からトナー像が転写された用紙Ｓは、加熱ローラ２１と加圧ローラ２２との間に向かって搬送され、加熱ローラ２１と加圧ローラ２２との間を通過するときに、加熱および加圧される。これにより、用紙Ｓに転写されたカラー画像は、用紙Ｓに熱定着される。
【００９７】
その後、用紙Ｓは、前上側へＵターンするように搬送されて、トップカバー６に設けられる排紙トレイ２３に排紙される。
２．プロセスカートリッジ
（１）ドラムカートリッジ
ドラムカートリッジ２４は、図２および図３に示すように、ドラムフレーム３１と、感光ドラム１５と、軸受部材３２とを備えている。
【００９８】
なお、以下のプロセスカートリッジ１１の説明において、方向について言及する場合には、プロセスカートリッジ１１を水平方向に載置したときの方向を基準とし、具体的には、各図に示した矢印方向を基準とする。
（１−１）ドラムフレーム
ドラムフレーム３１は、図２に示すように、平面視略矩形の有底枠形状に形成されている。詳しくは、ドラムフレーム３１は、左右１対のドラム側壁３７と、ドラム前壁３８と、ドラム底壁３９と、ドラム上壁４０とを備えている。
【００９９】
１対のドラム側壁３７は、互いに左右方向に間隔を隔てて対向配置されている。ドラム側壁３７は、図３に示すように、前後上下方向に延びる側面視略矩形状に形成されている。また、ドラム側壁３７には、フランジ挿通穴６５と、露出溝７４とが形成されている。
【０１００】
フランジ挿通穴６５は、ドラム側壁３７の後端部において、ドラム側壁３７を左右方向に貫通するように、側面視略円形状に形成されている。
【０１０１】
露出溝７４は、ドラム側壁３７の前後方向略中央において、上端縁から下方に向かって切り欠かれるように、上側が開放される側面視略Ｖ字形状に形成されている。
【０１０２】
また、右側のドラム側壁３７には、図３（ａ）に示すように、カートリッジ側グリッド電極９５と、カートリッジ側ワイヤ電極９６と、カートリッジ側クリーナ電極９７とが支持されている。
【０１０３】
カートリッジ側グリッド電極９５は、右側のドラム側壁３７の後端部における上端部に配置されている。カートリッジ側グリッド電極９５は、上下方向に延びる略直線形状に形成されている。カートリッジ側グリッド電極９５は、図１に示されるグリッド３４に電気的に接続されている。
【０１０４】
カートリッジ側ワイヤ電極９６は、カートリッジ側グリッド電極９５の後側に間隔を隔てて配置されている。カートリッジ側ワイヤ電極９６は、上下方向に延びる略直線形状に形成されている。カートリッジ側ワイヤ電極９６は、図１に示される帯電ワイヤ３３に電気的に接続されている。
【０１０５】
カートリッジ側クリーナ電極９７は、カートリッジ側グリッド電極９５の下側に間隔を隔てて配置されている。カートリッジ側クリーナ電極９７は、導電性の樹脂材料などから、側面視略矩形状に形成されている。
【０１０６】
ドラム前壁３８は、図２に示すように、１対のドラム側壁３７の前端部間に架設されている。ドラム前壁３８は、上下左右に延びる略平板形状に形成されている。
【０１０７】
ドラム底壁３９は、図３に示すように、１対のドラム側壁３７の下端部間に架設されている。ドラム底壁３９は、前後左右に延びる略平板形状に形成され、その前端部においてドラム前壁３８の下端部に連続されている。
【０１０８】
ドラム上壁４０は、図２に示すように、１対のドラム側壁３７の後端部の上端部間に架設されている。ドラム上壁４０は、前後左右に延びる略平板形状に形成され、感光ドラム１５を上側から被覆するように設けられている。また、ドラム上壁４０には、スコロトロン型帯電器２６が埋設されている。
（１−２）感光ドラム
感光ドラム１５は、図２２および図２４に示すように、感光ドラム１５は、ドラム本体１９０と、左右１対のフランジ部材１９１とを備えている。
【０１０９】
ドラム本体１９０は、金属からなり、左右方向に延びる略円筒形状に形成されている。ドラム本体１９０の外面は、樹脂製の感光層によって被覆されている。
【０１１０】
左側のフランジ部材１９１は、左右方向に延びる略円柱形状に形成され、ドラム本体１９０の左端部に相対回転不能に嵌合されている。また、左側のフランジ部材１９１の左面には、図３（ｂ）に示すように、駆動入力部の一例としての複数のカップリング嵌合部１９２が形成されている。
【０１１１】
複数のカップリング嵌合部１９２は、具体的には、４つ形成され、左側のフランジ部材１９１の左面の径方向外側端部において、周方向に互いに９０°の間隔を隔てて並列配置されている。カップリング嵌合部１９２は、左側のフランジ部材１９１の左面から右側へ凹む側面視略矩形状の凹部として形成されている。
【０１１２】
カップリング嵌合部１９２には、プロセスカートリッジ１１が本体ケーシング２内に装着された状態で、後述するドラム本体カップリング７１が挿入され、後述するドラム本体カップリング７１を介して、後述するモータ７０から回転駆動力が入力される。
【０１１３】
右側のフランジ部材１９１は、図２２および図２４に示すように、左右方向に延びる略円柱形状に形成され、ドラム本体１９０の右端部に相対回転不能に嵌合されている。また、右側のフランジ部材１９１には、シャフト１９３が支持されている。
【０１１４】
シャフト１９３は、図３（ａ）に示すように、右側のフランジ部材１９１の径方向中央を左右方向に貫通するように、左右方向に延びる略円柱形状に形成されている。シャフト１９３の右端部は、図２４に示すように、右側のフランジ部材１９１の右面から右方へ向かって突出している。
【０１１５】
そして、感光ドラム１５は、左右１対のフランジ部材１９１が対応するドラム側壁３７のフランジ挿通穴６５に挿通されるように、ドラムフレーム３１の後端部内に配置されている。これにより、左右１対のフランジ部材１９１のそれぞれは、対応するドラム側壁３７よりも、フランジ挿通穴６５を介して左右方向外方へ向かって突出している。
（１−３）軸受部材
軸受部材３２は、図２および図３に示すように、１対のドラム側壁３７のそれぞれの後端部に、１つずつ支持されている。
【０１１６】
軸受部材３２は、左右方向に延びる略円筒形状に形成されている。軸受部材３２の内径は、フランジ部材１９１の外径と略同径に形成されている。
【０１１７】
そして、軸受部材３２は、感光ドラム１５のフランジ部材１９１に対して相対回転可能に径方向外側から嵌合されるとともに、ドラムフレーム３１の両ドラム側壁３７のそれぞれに支持されている。これにより、感光ドラム１５は、図２に示すように、軸受部材３２を介してドラムフレーム３１に支持されている。そのため、感光ドラム１５は、カップリング嵌合部１９２に駆動力が入力されると、軸線Ａを中心として回転される。
（２）現像カートリッジ
現像カートリッジ２５は、図２に示すように、カートリッジフレーム１９４と、駆動ユニット１９５と、給電ユニット１９６とを備えている。
【０１１８】
カートリッジフレーム１９４は、左右方向に延びる略ボックス形状に形成されている。カートリッジフレーム１９４は、現像ローラ１６と、供給ローラ２７と、層厚規制ブレード２８とを支持するとともに、その内部においてトナーを収容している。
【０１１９】
駆動ユニット１９５は、カートリッジフレーム１９４の左側に配置されている。駆動ユニット１９５は、図３（ｂ）に示すように、現像カップリング１９７と、駆動側カバー１９８とを備えている。
【０１２０】
現像カップリング１９７は、左右方向に延びる略円柱形状に形成され、カートリッジフレーム１９４の左壁に回転可能に支持されている。現像カップリング１９７の左側面には、結合凹部１９９が形成されている。
【０１２１】
結合凹部１９９は、現像カップリング１９７の左面から右方へ向かって凹むように形成されている。結合凹部１９９には、現像カートリッジ２５が本体ケーシング２内に装着された状態で、後述する現像本体カップリング７２の先端が相対回転不能に挿入され、後述する現像本体カップリング７２を介して、後述するモータ７０から回転駆動力が入力される。現像カップリング１９７に入力された回転駆動力は、図示しないギア列を介して、現像ローラ１６および供給ローラ２７に伝達される。
【０１２２】
駆動側カバー１９８は、左右方向に延び、左端部が閉鎖された略角筒形状に形成されている。
【０１２３】
駆動側カバー１９８には、結合凹部露出穴２００が形成されている。結合凹部露出穴２００は、駆動側カバー１９８の左端部における前後方向略中央部分に形成され、側面視円形状に貫通形成されている。
【０１２４】
そして、駆動側カバー１９８は、結合凹部露出穴２００から現像カップリング１９７の結合凹部１９９が露出されるように、カートリッジフレーム１９４の左壁にねじ止めされている。
【０１２５】
給電ユニット１９６は、図２に示すように、カートリッジフレーム１９４の右側に配置されている。給電ユニット１９６は、現像電極部材２０１と、給電側カバー２０４とを備えている。
【０１２６】
現像電極部材２０１は、導電性ポリアセタール樹脂などの導電性の樹脂材料から形成され、給電側カバー２０４内において、カートリッジフレーム１９４の右壁に支持されている。現像電極部材２０１は、受電部２０２を備えている。
【０１２７】
受電部２０２は、左右方向に延びる略円筒形状に形成されている。
【０１２８】
また、現像電極部材２０１は、受電部２０２の後側において、現像ローラ１６の金属製の回転軸を回転可能に支持する図示しない現像ローラ軸支持部を備えるとともに、受電部２０２の後下側において、供給ローラ２７の金属製の回転軸を回転可能に支持する図示しない供給ローラ軸支持部を備えている。
【０１２９】
給電側カバー２０４は、左右方向に延び、右端部が閉鎖された略角筒形状に形成されている。給電側カバー２０４は、受電部露出穴２０３が形成されている。
【０１３０】
受電部露出穴２０３は、給電側カバー２０４の上壁における右端部において、受電部２０２の右端部を露出させるように、平面視略矩形状に貫通形成されている。
【０１３１】
そして、給電側カバー２０４は、受電部露出穴２０３から受電部２０２の右端部が露出されるように、カートリッジフレーム１９４の右壁にねじ止めされている。
３．本体ケーシング
本体ケーシング２は、図４、図５および図８に示すように、左右方向に互いに間隔を隔てて対向配置される左側壁４１および右側壁４２と、左側壁４１および右側壁４２間に架設される補強部４３とを備えている。
（１）左側壁
左側壁４１は、図９に示すように、第３フレームの一例としての第１樹脂フレーム４５と、金属フレーム４６とを備えている。
（１−１）第１樹脂フレーム
第１樹脂フレーム４５は、図１１に示すように、ポリスチレンなどの樹脂から形成され、前後方向に延びる側面視略矩形状の略平板形状に形成されている。
【０１３２】
第１樹脂フレーム４５は、第１ドラム案内部４８と、第１ＬＥＤ溝５４と、第１給紙ボス穴５２と、第１給紙ボス溝５１と、第１定着ボス穴５３とを有している。
【０１３３】
第１ドラム案内部４８は、第１樹脂フレーム４５の右面における上側部分において、図１に示される複数のプロセスカートリッジ１１のそれぞれに対応するように、前後方向に互いに間隔を隔てて複数、具体的には、４つ設けられている。
【０１３４】
第１ドラム案内部４８は、第１樹脂フレーム４５の上端縁から後下方へ向かって窪む側面視略Ｕ字状に形成され、図７に示すように、第１樹脂フレーム４５の右面から左方へ向かって窪むとともに、図４に示すように、第１樹脂フレーム４５の左面から左方へ向かって膨出するように形成されている。
【０１３５】
また、第１ドラム案内部４８は、図１１に示すように、前後１対の第１レール部９０と、第１湾曲部９１と、第１閉鎖部８９とを一体的に有している。
【０１３６】
前後１対の第１レール部９０のそれぞれは、第１樹脂フレーム４５の右面から左方へ向かって屈曲するように形成され、前上側と後下側とを結ぶ方向、すなわち後述するプロセスカートリッジ１１の着脱方向Ｘに沿って延びるように形成されている。また、前後１対の第１レール部９０は、前後方向において、軸受部材３２の外径よりも長い間隔を隔てて対向配置されている。
【０１３７】
第１湾曲部９１は、前後１対の第１レール部９０の下端部を連結するように設けられ、両第１レール部９０の下端部から連続して、後下方へ向かって窪む側面視略半円弧形状に形成されている。
【０１３８】
第１閉鎖部８９は、前後１対の第１レール部９０の左端部および第１湾曲部９１の左端部を連結するように設けられている。
【０１３９】
そして、前側の第１レール部９０の後面、後側の第１レール部９０の前面、第１湾曲部９１の上面および第１閉鎖部８９の右面により、第１ガイド溝５６が区画されている。
【０１４０】
また、第１ドラム案内部４８には、ドラムカップリング挿通穴４９と、現像カップリング挿通穴５０と、図５に示される切欠部８０とが形成されている。
【０１４１】
ドラムカップリング挿通穴４９は、第１閉鎖部８９の下側部分において、第１湾曲部９１に対応する部分に形成されている。ドラムカップリング挿通穴４９は、側面視略円形状に貫通形成されている。
【０１４２】
現像カップリング挿通穴５０は、第１閉鎖部８９の上側部分において、ドラムカップリング挿通穴４９の前上側に間隔を隔てて形成されている。現像カップリング挿通穴５０は、前上方および後下方に延びる側面視略楕円形状に貫通形成されている。
【０１４３】
切欠部８０は、図７に示すように、第１湾曲部９１の左側部分が、ドラムカップリング挿通穴４９の周端部から右方へ向かって切り欠かれることにより形成されている。
【０１４４】
第１ＬＥＤ溝５４は、図１１に示すように、第１樹脂フレーム４５の右面における上側部分において、複数のＬＥＤユニット１２のそれぞれに対応するように、前後方向に間隔を隔てて複数、具体的には、４つ形成されている。
【０１４５】
第１ＬＥＤ溝５４は、第１ドラム案内部４８の後側かつドラムカップリング挿通穴４９の上側に１つずつ形成されている。また、第１ＬＥＤ溝５４は、図７に示すように、第１樹脂フレーム４５の上端縁から下方へ向かって窪む側面視略コ字状に形成され、第１樹脂フレーム４５の右面から左方へ向かって窪むように形成されている。
【０１４６】
また、第１ＬＥＤ溝５４の左壁には、位置決め挿通口５９が左右方向に貫通形成されている。位置決め挿通口５９の前後上下方向長さは、図１２に示すように、後述する第１ＬＥＤ位置決め部材６６の前後上下方向長さよりも長く形成されている。
【０１４７】
第１給紙ボス穴５２は、図１１に示すように、最も前側の第１ドラム案内部４８の前側に間隔を隔てて形成されている。第１給紙ボス穴５２は、側面視略矩形状に貫通形成されており、その上下前後方向長さは、後述する第１供給ボス１８４の外径よりも僅かに長く形成されている。
【０１４８】
第１給紙ボス溝５１は、第１給紙ボス穴５２の下側に間隔を隔てて形成されている。第１給紙ボス溝５１は、図７に示すように、第１樹脂フレーム４５の前端縁から後方へ向かって延びる側面視略コ字状に形成され、第１樹脂フレーム４５の右面から左方へ向かって窪むように形成されている。第１給紙ボス溝５１の溝幅は、図１１に示すように、後述する第２供給ボス１８５の外径と略同じ長さに形成されている。
【０１４９】
第１定着ボス穴５３は、最も後側の第１ドラム案内部４８の後側に間隔を隔てて形成されている。第１定着ボス穴５３は、側面視略矩形状に貫通形成されており、その上下前後方向長さは、後述する定着ボス１８６の上下前後方向長さよりも僅かに長く形成されている。
【０１５０】
また、第１樹脂フレーム４５には、図６および図１０に示すように、複数の位置決めボス５５が一体的に設けられるとともに、第１補強板５７が別体として設けられている。
【０１５１】
複数の位置決めボス５５のそれぞれは、図５に示すように、具体的には、４つ設けられ、第１樹脂フレーム４５の左面において、第１樹脂フレーム４５の左面から左方へ向かって突出する略円柱形状に形成されている。また、位置決めボス５５は、図１０に示すように、ドラムカップリング挿通穴４９の前側に１つずつ配置されている。
【０１５２】
第１補強板５７は、図８に示すように、金属から形成され、前後方向に延びる平面視略矩形状の略平板形状に形成されている。そして、第１補強板５７は、第１樹脂フレーム４５の上端部に固定されている。
【０１５３】
また、第１樹脂フレーム４５は、図１０に示すように、本体ケーシング２を設置したときに設置面と接する複数の脚部７６を一体的に有している。複数の脚部７６は、具体的には、２つ設けられ、前後方向に互いに間隔を隔てて配置されている。また、脚部７６は、第１樹脂フレーム４５の下端部から下方へ向かって突出する側面視略矩形状に形成されている。
【０１５４】
そして、第１樹脂フレーム４５は、側面視において、図１に示される画像形成部４の全体を覆うように形成されている。すなわち、第１樹脂フレーム４５は、プリンタ１の左側面を構成する主体的なフレームとして設けられている。
（１−２）金属フレーム
金属フレーム４６は、図１０に示すように、亜鉛めっき鋼板などの金属から板金加工によって形成され、前後方向に長手の側面視略矩形状の略平板形状に形成されている。
【０１５５】
そして、金属フレーム４６は、図９および図１０に示すように、第１樹脂フレーム４５に対して左側に配置され、第１樹脂フレーム４５の左面における上側部分に固定されている。また、金属フレーム４６は、左右方向に投影されたときに、金属フレーム４６の投影面の全てが、第１樹脂フレーム４５の投影面内に含まれるように配置されており、金属フレーム４６の投影面は、第１樹脂フレーム４５の投影面における外周縁の内側に位置している。
【０１５６】
また、金属フレーム４６には、開口部の一例としてのフレーム開口部６０と、複数の位置決め穴６２とが形成されている。
【０１５７】
フレーム開口部６０は、複数の第１ドラム案内部４８のそれぞれに対応するように、前後方向に間隔を隔てて複数、具体的には、４つ形成されている。
【０１５８】
フレーム開口部６０は、前上側と後下側とを結ぶ方向、すなわち後述する着脱方向Ｘに延びる側面視略楕円形状に貫通形成されている。詳しくは、フレーム開口部６０は、その上側部分である嵌合部分９２と、その下側部分である支持部分９３とを有している。
【０１５９】
嵌合部分９２は、第１ドラム案内部４８の上側部分、すなわち、１対の第１レール部９０に対応して、後述する着脱方向Ｘに延びるように形成されている。また、嵌合部分９２の前後方向長さは、１対の第１レール部９０の前後方向における間隔よりも僅かに長く形成されている。
【０１６０】
そして、嵌合部分９２には、対応する第１ドラム案内部４８の上側部分、すなわち、１対の第１レール部９０および第１閉鎖部８９の上側部分が嵌合されている。
【０１６１】
支持部分９３は、嵌合部分９２の下端部から連続して、後下方へ向かって窪む側面視略半円弧形状に形成されている。また、支持部分９３は、左右方向に投影したときに、対応する第１湾曲部９１の切欠部８０の端縁を囲むように形成されている。つまり、フレーム開口部６０は、左右方向に投影したときに、対応する第１ガイド溝５６の端縁を囲むように形成されている。
【０１６２】
また、支持部分９３には、１対の第１位置決め凸部６１が一体的に設けられている。１対の第１位置決め凸部６１は、支持部分９３の周方向に互いに間隔を隔てて設けられており、支持部分９３の周端から支持部分９３の径方向内方へ向かって突出する側面視略矩形状に形成されている。
【０１６３】
具体的には、後側の第１位置決め凸部６１は、支持部分９３の周端における後下端部から前上方へ向かって突出するように形成され、前側の第１位置決め凸部６１は、支持部分９３の周端における前下端部から後上方へ向かって突出するように形成されている。
【０１６４】
そして、１対の第１位置決め凸部６１のそれぞれは、図７に示すように、第１ドラム案内部４８における第１湾曲部９１の切欠部８０を介して、第１湾曲部９１の内周面よりも、第１湾曲部９１の径方向内方へ向かって突出している。つまり、１対の第１位置決め凸部６１は、図１１に示すように、それらの遊端部が、左右方向に投影したときに第１ガイド溝５６内に位置するように配置されている。
【０１６５】
複数の位置決め穴６２は、フレーム開口部６０の支持部分９３の前側に１つずつ形成され、前後方向に互いに間隔を隔てて配置されている。複数の位置決め穴６２は、具体的には、４つ形成されている。
【０１６６】
最も後側の位置決め穴６２、および、後側から数えて３番目の位置決め穴６２は、側面視略円形状に貫通形成され、その穴径が、位置決めボス５５の外径よりも大径に形成されている。また、後側から数えて２番目の位置決め穴６２は、側面視略円形状に貫通形成され、その穴径が、位置決めボス５５の外径と略同径に形成されている。また、最も前側の位置決め穴６２は、前後方向に延びる側面視略楕円形状に貫通形成され、その上下方向長さが位置決めボス５５の外径と略同じ長さに、その前後方向長さが位置決めボス５５の外径よりも長く形成されている。
【０１６７】
そして、位置決め穴６２には、位置決めボス５５が挿通されている。
【０１６８】
また、金属フレーム４６には、図１０に示すように、第１供給位置決め部６３と、第１定着位置決め部６４とが一体的に設けられるとともに、第１ＬＥＤ位置決め部材６６とが別体として設けられている。
【０１６９】
第１供給位置決め部６３は、金属フレーム４６の前端部における上側部分から、前方へ向かって突出する側面視略矩形状に形成されている。そして、第１供給位置決め部６３の前端部における下側部分は、図１１に示すように、第１給紙ボス穴５２を介して、右側から露出されている。
【０１７０】
第１定着位置決め部６４は、図１０に示すように、金属フレーム４６の後端部における下側部分から、後方へ向かって突出する側面視略矩形状に形成されている。そして、第１定着位置決め部６４の後端部における上側部分は、図１１に示すように、第１定着ボス穴５３を介して、右側から露出されている。
【０１７１】
第１ＬＥＤ位置決め部材６６は、図１２に示すように、複数のＬＥＤユニット１２のそれぞれに対応するように、前後方向に間隔を隔てて複数、具体的には、４つ設けられている。また、複数の第１ＬＥＤ位置決め部材６６は、金属フレーム４６の右面において、複数のフレーム開口部６０のそれぞれの後側に１つずつ支持されている。
【０１７２】
第１ＬＥＤ位置決め部材６６は、挟持部６９と、揺動軸６８と、揺動部６７とを備えている。
【０１７３】
挟持部６９は、左右方向に延びる側面視略矩形状に形成され、金属フレーム４６の右面に固定されている。
【０１７４】
揺動軸６８は、左右方向に延びる略円柱形状に形成され、金属フレーム４６の右面における挟持部６９の後下側において、相対回転不能に支持されている。
【０１７５】
揺動部６７は、側面視略Ｌ字状に形成されており、頭部７７と、胴部７８とを一体的に有している。
【０１７６】
頭部７７は、前後方向に延びる側面視略矩形状に形成されている。胴部７８は、頭部７７の下面における後側部分から連続して、下方へ向かって延びる側面視略矩形状に形成されている。そして、揺動部６７は、胴部７８の下端部が揺動軸６８に相対回転可能に支持されることにより、揺動可能に設けられている。また、揺動部６７は、常には、図示しないばね部材により、頭部７７の前端部と挟持部６９の上端部とが接触するように、右側面視反時計回りに付勢されている。
【０１７７】
そして、第１ＬＥＤ位置決め部材６６は、図１２に示すように、第１樹脂フレーム４５の位置決め挿通口５９を介して、対応する第１ＬＥＤ溝５４内に配置されている。そして、第１ＬＥＤ位置決め部材６６の上端部、すなわち、挟持部６９および頭部７７は、図１１に示すように、第１ＬＥＤ溝５４を介して右側から露出されている。
（１−３）支持板
また、左側壁４１には、図８および図９に示すように、金属フレーム４６の左側において、支持板４７が設けられている。
【０１７８】
支持板４７は、第１樹脂フレーム４５との間に、金属フレーム４６を挟むように、第１樹脂フレーム４５の左面に固定されている。
【０１７９】
支持板４７は、図６に示すように、金属から形成され、側面視略矩形状の略平板形状に形成されている。また、支持板４７は、駆動源の一例としてのモータ７０と、回転体の一例としてのドラム本体カップリング７１と、現像本体カップリング７２と、現像ギア７９と、ドラムギア９４とを備えている。
【０１８０】
モータ７０は、図９に示すように、駆動力を発生させるように構成されており、支持板４７の左面に支持されている。
【０１８１】
ドラム本体カップリング７１は、図８に示すように、支持板４７の右面において、複数のドラムカップリング挿通穴４９のそれぞれと左右方向に対向するように、前後方向に間隔を隔てて複数、具体的には、４つ設けられている。
【０１８２】
また、ドラム本体カップリング７１は、左右方向に延びる略円柱形状に形成され、その左端部における外周面には、その全周にわたって、ギア歯が形成されている。また、ドラム本体カップリング７１は、支持板４７の右面に回転可能に支持されている。
【０１８３】
また、ドラム本体カップリング７１は、モータ７０からの駆動力が、図示しないギア列により伝達されるように構成され、かつ、ドラムカップリング挿通穴４９に対して左側に間隔を隔てて対向配置される退避位置と、ドラムカップリング挿通穴４９を介して、第１ガイド溝５６内に進出する進出位置とに移動可能に構成されている。
【０１８４】
現像本体カップリング７２は、複数の現像カップリング挿通穴５０のそれぞれと左右方向に対向するように、各ドラム本体カップリング７１の前上側に配置されている。
【０１８５】
また、現像本体カップリング７２は、左右方向に延びる略円柱形状に形成され、その左端部における外周面には、その全周にわたって、ギア歯が形成されている。また、現像本体カップリング７２は、支持板４７の右面に回転可能に支持されている。
【０１８６】
また、現像本体カップリング７２は、モータ７０からの駆動力が、図示しないギア列により伝達されるように構成され、かつ、現像カップリング挿通穴５０に対して左側に間隔を隔てて対向配置される退避位置と、現像カップリング挿通穴５０を介して第１ガイド溝５６内に進出する進出位置とに移動可能に構成されている。
【０１８７】
現像ギア７９は、略円板状に形成され、その外周面には、その全周にわたって、ギア歯が形成されている。そして、現像ギア７９は、現像本体カップリング７２のギア歯と噛合するように、支持板４７の右面に回転可能に支持されている。そして、図示しないギア列から伝達される駆動力は、現像ギア７９を介して、現像本体カップリング７２に伝達される。
【０１８８】
ドラムギア９４は、略円板状に形成され、その外周面には、その全周にわたって、ギア歯が形成されている。そして、ドラムギア９４は、ドラム本体カップリング７１のギア歯と噛合するように、支持板４７の右面に回転可能に支持されている。そして、図示しないギア列から伝達される駆動力は、ドラムギア９４を介して、ドラム本体カップリング７１に伝達される。
（２）右側壁
右側壁４２は、図１３に示すように、第２フレームの一例としての第２樹脂フレーム１００と、第１フレームの一例としてのドラム支持フレーム１０２とを備えている。
（２−１）第２樹脂フレーム
第２樹脂フレーム１００は、図１４に示すように、ポリスチレンなどの樹脂から形成され、前後方向に延びる側面視略矩形状の略平板形状に形成されている。また、第２樹脂フレーム１００は、その前後上下方向長さが、第１樹脂フレーム４５と略同じ長さに形成されている。
【０１８９】
また、第２樹脂フレーム１００には、その上側部分において、現像電極挿通穴１０３と、第２貫通口の一例としてのグリッド電極挿通穴１０４と、ワイヤ電極挿通穴１０５と、クリーニング配線露出穴１０６とが形成され、その下側部分において、ベルト電極挿通穴１２１と、図１６に示される第２給紙ボス溝１７９とが形成されている。
【０１９０】
現像電極挿通穴１０３は、第２樹脂フレーム１００の上端部において、前後方向に互いに間隔を隔てて複数、具体的には、４つ形成されている。現像電極挿通穴１０３は、側面視略円形状に貫通形成され、その内径が、後述する現像ばね部１８０の外径と略同径に形成されている。
【０１９１】
グリッド電極挿通穴１０４は、第２樹脂フレーム１００の上下方向略中央部分において、前後方向に互いに間隔を隔てて複数、具体的には、４つ形成されており、複数の現像電極挿通穴１０３のそれぞれの後下側に１つずつ配置されている。
【０１９２】
また、グリッド電極挿通穴１０４は、側面視略矩形状に貫通形成され、その内寸が、後述するグリッドばね支持部１４７の外寸よりも長く形成されている。
【０１９３】
ワイヤ電極挿通穴１０５は、最も後側の現像電極挿通穴１０３の下側、かつ、最も後側のグリッド電極挿通穴１０４の前上側に形成され、側面視略矩形状に貫通形成されている。ワイヤ電極挿通穴１０５の内寸は、後述する第１ワイヤばね部１１２の外径よりも長く形成されている。
【０１９４】
クリーニング配線露出穴１０６は、ワイヤ電極挿通穴１０５の前下側、かつ、後側から数えて２番目のグリッド電極挿通穴１０４の後上側に形成され、側面視略円形状に貫通形成されている。
【０１９５】
ベルト電極挿通穴１２１は、第２樹脂フレーム１００の下側部分における前後方向略中央部分において、複数形成されている。ベルト電極挿通穴１２１は、側面視略矩形状に貫通形成されており、その内寸は、後述するベルトばね支持部１５１の外径よりも長く形成されている。
【０１９６】
第２給紙ボス溝１７９は、図１６に示すように、第２樹脂フレーム１００の左面における下側部分において、図１１に示される第１樹脂フレーム４５の第１給紙ボス溝５１と左右方向に対向するように形成されている。第２給紙ボス溝１７９は、図２０に示すように、第２樹脂フレーム１００の前端縁から後方へ向かって延びる側面視略コ字状に形成され、第２樹脂フレーム１００の左面から右方へ向かって窪むように形成されている。第２給紙ボス溝１７９の溝幅は、図２２に示すように、後述する第２供給ボス１８５の外径と略同じ長さに形成されている。
【０１９７】
また、第２樹脂フレーム１００の右面には、図１４に示すように、ワイヤばね支持部１１５と、第１転写ばね支持部１２２とが一体的に設けられている。
【０１９８】
ワイヤばね支持部１１５は、第２樹脂フレーム１００の上側部分における前端部において、ワイヤ電極挿通穴１０５の後側に間隔を隔てて配置されている。ワイヤばね支持部１１５は、側面視略十字状に形成され、第２樹脂フレーム１００の右面から右方へ向かって突出するように形成されている。ワイヤばね支持部１１５の上下前後方向長さは、後述する第１ワイヤばね部１１２の内径と略同じ長さに形成されている。
【０１９９】
第１転写ばね支持部１２２は、第２樹脂フレーム１００の下側部分において、前後方向に間隔を隔てて複数、具体的には、４つ設けられている。
【０２００】
第１転写ばね支持部１２２は、側面視略Ｃ字状に形成され、第２樹脂フレーム１００の右面から右方へ向かって突出するように形成されている。第１転写ばね支持部１２２の内径は、後述する第１転写ばね部１２４の外径と略同径に形成されている。
【０２０１】
また、第２樹脂フレーム１００の左面には、図１６に示すように、第２被係合部の一例としての第１突部１１８と、第２被係合部の一例としての第２突部１１９と、第１被係合部の一例としての第３突部１２０とが一体的に設けられている。
【０２０２】
第１突部１１８および第２突部１１９は、第２樹脂フレーム１００の左面における上側部分において、前後方向に間隔を隔てて対向配置されている。
【０２０３】
詳しくは、第１突部１１８は、第２樹脂フレーム１００の上側部分における前端部において、第２樹脂フレーム１００の左面から左方へ向かって突出する略円柱形状に形成されている。また、第２突部１１９は、ワイヤ電極挿通穴１０５の前下側において、第２樹脂フレーム１００の左面から左方へ向かって突出する略円柱形状に形成されている。
【０２０４】
第３突部１２０は、第２樹脂フレーム１００の下側部分における前後方向略中央部分、かつ、ベルト電極挿通穴１２１の上側に設けられ、第２樹脂フレーム１００の左面から左方へ向かって突出する略円柱形状に形成されている。
【０２０５】
また、第２樹脂フレーム１００の右面には、図１４に示すように、ワイヤ中継電極１０７と、転写中継電極１２３とが支持されている。
【０２０６】
ワイヤ中継電極１０７は、金属などの導電性を有する材料から形成され、第１ワイヤばね部１１２と、ワイヤ配線部１１１とを一体的に有している。
【０２０７】
第１ワイヤばね部１１２は、図１８に示すように、左右方向に延びる空心コイル状に形成されている。また、第１ワイヤばね部１１２の左右方向長さは、図１５に示すように、ワイヤばね支持部１１５の左右方向長さよりも長く形成されている。
【０２０８】
ワイヤ配線部１１１は、図１４に示すように、第１ワイヤばね部１１２の左端部から連続して、前方へ向かって延びる線形状に形成されている。
【０２０９】
そして、ワイヤ中継電極１０７は、第１ワイヤばね部１１２の内部空間にワイヤばね支持部１１５が挿通されることにより、第２樹脂フレーム１００の右面に支持されている。これにより、ワイヤ配線部１１１の前端部は、図１６に示すように、ワイヤ電極挿通穴１０５を介して左側から露出されている。
【０２１０】
なお、ワイヤ中継電極１０７は、図１５に示すように、ワイヤ配線カバー１１３により、右側から被覆されている。ワイヤ配線カバー１１３は、ポリスチレンなどからなる樹脂から形成され、側面視略矩形状の略平板形状に形成されている。また、ワイヤ配線カバー１１３には、ワイヤばね挿通穴１１４が形成されている。ワイヤばね挿通穴１１４は、ワイヤ配線カバー１１３の後端部における上下方向略中央部分において、側面視略円形状に貫通形成されている。
【０２１１】
そして、ワイヤ配線カバー１１３は、ワイヤ中継電極１０７を右側から被覆するように、第２樹脂フレーム１００の右面に固定されている。また、第１ワイヤばね部１１２の右端部は、ワイヤばね挿通穴１１４を介して、ワイヤ配線カバー１１３から右方へ向かって突出している。
【０２１２】
転写中継電極１２３は、図１４に示すように、図１に示される複数の転写ローラ２０のそれぞれに対応して複数、具体的には、４つ設けられている。転写中継電極１２３は、金属などの導電性を有する材料から形成され、第１転写ばね部１２４と、転写配線部１２５とを一体的に有している。
【０２１３】
第１転写ばね部１２４は、図１８に示すように、左右方向に延びる空心コイル状に形成されている。
【０２１４】
転写配線部１２５は、図１４に示すように、第１ワイヤばね部１１２の左端部から連続して、前上方へ向かって延びる線形状に形成されている。
【０２１５】
そして、転写中継電極１２３は、第１転写ばね部１２４が第１転写ばね支持部１２２に挿通されるともに、転写配線部１２５が第２樹脂フレーム１００の右面に係止されることにより、第２樹脂フレーム１００に支持されている。これにより、転写中継電極１２３の転写中継電極１２３の右端部は、図１５に示すように、右側から露出されている。
【０２１６】
また、転写配線部１２５の遊端部、すなわち上端部は、図１４および図１６に示すように、貫通穴８１を介して、第２樹脂フレーム１００の右面から左面に貫通されており、左側から見て露出されている。
【０２１７】
なお、転写中継電極１２３の転写配線部１２５は、図１３に示すように、転写配線カバー１２６により、右側から被覆されている。転写配線カバー１２６は、ポリスチレンなどからなる樹脂から形成され、側面視略矩形状の略平板形状に形成されている。そして、転写配線カバー１２６は、転写配線部１２５を右側から被覆するように、第２樹脂フレーム１００の右面に固定されている。
【０２１８】
また、第２樹脂フレーム１００の左面には、図１６に示すように、現像電極１１０と、ワイヤ中継配線１０８と、クリーニング配線１０９とが支持されている。
【０２１９】
現像電極１１０は、第２樹脂フレーム１００の左面における上端部において、図１に示される複数の現像カートリッジ２５のそれぞれに対応するように、前後方向に互いに間隔を隔てて複数、具体的には、４つ形成されている。
【０２２０】
また、現像電極１１０は、金属などの導電性を有する材料から形成され、現像ばね部１８０と、現像接点部１８１とを一体的に有している。
【０２２１】
現像ばね部１８０は、現像ばね部１８０の後端部に設けられており、図１８に示すように、左右方向に延びる空心コイル状に形成されている。
【０２２２】
現像接点部１８１は、図１６に示すように、現像ばね部１８０の前端部に設けられ、上下方向に延びる線形状に形成されている。
【０２２３】
そして、現像電極１１０は、現像ばね部１８０が現像電極挿通穴１０３に挿通されるように、第２樹脂フレーム１００の左面における上端部に支持されている。これにより、現像電極１１０の現像ばね部１８０の右端部は、図１５に示すように、現像電極挿通穴１０３を介して、右側から露出されている。
【０２２４】
ワイヤ中継配線１０８は、図１６に示すように、金属などの導電性を有する材料から形成され、側面視略Ｌ字状に屈曲する線形状に形成されている。詳しくは、ワイヤ中継配線１０８は、前後方向に延びる第１部分１１６と、上下方向に延びる第２部分１１７とを有している。
【０２２５】
第１部分１１６は、上下方向において、複数の現像電極挿通穴１０３と、複数のグリッド電極挿通穴１０４との間に配置されている。
【０２２６】
第２部分１１７は、第１部分１１６の前端部から連続して、下方に向かって屈曲するように形成され、第２樹脂フレーム１００の左面における前端部に配置されている。
【０２２７】
そして、ワイヤ中継配線１０８は、第１部分１１６が、各現像電極挿通穴１０３の下側において、第２樹脂フレーム１００の左面に係止されることにより、第２樹脂フレーム１００に固定されている。また、第２部分１１７の下端部は、貫通穴８２を介して、第２樹脂フレーム１００の左面から右面に貫通されており、図１２に示すように、右側から見て露出されている。
【０２２８】
クリーニング配線１０９は、図１６に示すように、金属などの導電性を有する材料から形成され、前後方向に延びる線形状に形成されている。また、クリーニング配線１０９は、その後端部からクリーニング配線１０９の前後方向長さに対して略１／３の部分に、接続部１２７を一体的に有している。
【０２２９】
接続部１２７は、下方に向かって開放される側面視略Ｕ字状に形成され、クリーニング配線１０９を上方に向かって屈曲させた後、下方に向かって折り返すことにより形成されている。
【０２３０】
そして、クリーニング配線１０９は、第２樹脂フレーム１００の左面における上下方向略中央部分に配置されている。また、クリーニング配線１０９は、複数のグリッド電極挿通穴１０４のそれぞれの前下側において、第２樹脂フレーム１００の左面に係止されている。これにより、クリーニング配線１０９は、第２樹脂フレーム１００に固定されている。また、クリーニング配線１０９の接続部１２７の上端部は、図１４に示すように、クリーニング配線露出穴１０６を介して右側から露出されている。
【０２３１】
また、第２樹脂フレーム１００の上端部には、図８に示すように、補強板の一例としての第２補強板１７７が別体として設けられている。
【０２３２】
第２補強板１７７は、金属から形成され、前後方向に延びる平面視略矩形状の略平板形状に形成されている。また、第２補強板１７７には、被係合部の一例としての係合穴１７８が形成されている。
【０２３３】
係合穴１７８は、第２補強板１７７の後端縁から、第２補強板１７７の前後方向長さに対して略１／４の部分に形成されており、平面視略矩形状に貫通形成されている。
【０２３４】
また、第２樹脂フレーム１００は、図１４に示すように、本体ケーシング２を設置したときに設置面と接する複数の脚部１５８を一体的に有している。複数の脚部１５８は、具体的には、２つ設けられ、前後方向に互いに間隔を隔てて配置されている。また、脚部１５８は、第２樹脂フレーム１００の下端部から下方へ向かって突出する側面視略矩形状に形成されている。
【０２３５】
そして、第２樹脂フレーム１００は、側面視において、図１に示される画像形成部４の全体を覆うように形成されている。すなわち、第２樹脂フレーム１００は、プリンタ１の右側面を構成する主体的なフレームとして設けられている。
（２−２）ドラム支持フレーム
ドラム支持フレーム１０２は、図１７に示すように、第２樹脂フレーム１００を形成するポリスチレンなどの樹脂よりも熱膨張率の小さい、ガラス繊維が含有されるポリカーボネートなどの樹脂から形成され、前後方向に長手の側面視略矩形状の略平板形状に形成されている。
【０２３６】
そして、ドラム支持フレーム１０２は、図１３および図２０に示すように、第２樹脂フレーム１００の左側に配置され、第２樹脂フレーム１００の左面における上側部分に固定されている。また、ドラム支持フレーム１０２は、左右方向に投影されたときに、ドラム支持フレーム１０２の投影面の全てが、第２樹脂フレーム１００の投影面内に含まれるように配置されており、ドラム支持フレーム１０２の投影面は、第２樹脂フレーム１００の投影面における外周縁の内側に位置している。
【０２３７】
また、ドラム支持フレーム１０２は、図１７に示すように、第２ドラム案内部１３５と、第２ＬＥＤ溝１３６とを有している。
【０２３８】
第２ドラム案内部１３５は、左右方向において、第１樹脂フレーム４５の第１ドラム案内部４８と対向するように、前後方向に互いに間隔を隔てて複数、具体的には、４つ形成されている。
【０２３９】
第２ドラム案内部１３５は、ドラム支持フレーム１０２の上端縁から後下方へ向かって窪む側面視略Ｕ字状に形成され、図２０に示すように、第２樹脂フレーム１００の左面から右方へ向かって窪むとともに、第２樹脂フレーム１００の右面から右方へ向かって膨出するように形成されている。
【０２４０】
また、第２ドラム案内部１３５は、図１７に示すように、前後１対の第２レール部１３７と、第２湾曲部１３８と、第２閉鎖部１８２とを一体的に有している。
【０２４１】
前後１対の第２レール部１３７のそれぞれは、ドラム支持フレーム１０２の左面から右方へ向かって屈曲するように形成され、前上側と後下側とを結ぶ方向、すなわち後述する着脱方向Ｘに沿って延びるように形成されている。また、前後１対の第２レール部１３７は、前後方向において、軸受部材３２の外径よりも長い間隔を隔てて対向配置されている。
【０２４２】
第２湾曲部１３８は、前後１対の第２レール部１３７の下端部を連結するように設けられ、両第２レール部１３７の下端部から連続して、後下方へ向かって窪む側面視略半円弧形状に形成されている。
【０２４３】
また、第２湾曲部１３８には、支持部の一例としての１対の第２位置決め凸部１４１が一体的に設けられている。１対の第２位置決め凸部１４１は、第２湾曲部１３８の周方向に互いに間隔を隔てて設けられており、第２湾曲部１３８の内周面から、第２湾曲部１３８の径方向内方へ向かって突出する側面視略矩形状に形成されている。
【０２４４】
具体的には、後側の第２位置決め凸部１４１は、第２湾曲部１３８の内周面における後下端部から前上方へ向かって突出するように形成され、前側の第２位置決め凸部１４１は、第２湾曲部１３８の内周面における前下端部から後上方へ向かって突出するように形成されている。また、１対の第２位置決め凸部１４１は、図６に示すように、左右方向に投影したときに、１対の第１位置決め凸部６１のそれぞれと一致するように配置されている。
【０２４５】
第２閉鎖部１８２は、前後１対の第２レール部１３７の右端部および第２湾曲部１３８の右端部を連結するように設けられている。
【０２４６】
そして、前側の第２レール部１３７の後面、後側の第２レール部１３７の前面、第２湾曲部１３８の内周面および第２閉鎖部１８２の左面により、案内溝の一例としての第２ガイド溝１３９が区画されている。
【０２４７】
また、第２ドラム案内部１３５には、シャフト嵌合溝１４２が形成されている。
【０２４８】
シャフト嵌合溝１４２は、図１７に示すように、第２閉鎖部１８２の前後方向略中央部分において、第２閉鎖部１８２の上端縁から後下方へ向かって窪む側面視略Ｕ字状に形成されている。また、シャフト嵌合溝１４２は、第２閉鎖部１８２の左面から右方へ向かって窪み、かつ、第２閉鎖部１８２の右面から右方へ向かって膨出するように形成されている。そのため、シャフト嵌合溝１４２は、複数の現像電極１１０のそれぞれの前側に配置されている。
【０２４９】
また、シャフト嵌合溝１４２の後壁には、図２１に示すように、導電部材露出口１４３と、現像電極露出穴１４４とが形成されている。
【０２５０】
導電部材露出口１４３は、シャフト嵌合溝１４２の後壁における下端部に形成され、前後方向に貫通形成されている。
【０２５１】
現像電極露出穴１４４は、シャフト嵌合溝１４２の後壁における導電部材露出口１４３の上側において、図１６に示される現像電極１１０に対応して、前後方向に貫通形成されている。また、現像電極１１０の現像接点部１８１は、現像電極露出穴１４４を介して前側から露出されている。
【０２５２】
第２ＬＥＤ溝１３６は、左右方向において第１樹脂フレーム４５の第１ＬＥＤ溝５４と対向するように、複数の第２ドラム案内部１３５のそれぞれの前側に１つずつ形成され、前後方向に間隔を隔てて複数、具体的には、４つ形成されている。
【０２５３】
第２ＬＥＤ溝１３６は、図１７に示すように、ドラム支持フレーム１０２の上端縁から下方へ向かって窪む側面視略コ字状に形成され、ドラム支持フレーム１０２の左面から右方へ向かって窪み、かつ、ドラム支持フレーム１０２の右面から右方へ向かって膨出するように形成されている。
【０２５４】
また、第２ＬＥＤ溝１３６には、図２１に示すように、その前壁の下端部において、挟持部２０５が支持されており、その後壁の下端部には、揺動部開口１８３が形成されている。
【０２５５】
また、ドラム支持フレーム１０２には、図１７に示すように、第２係合部の一例としての第１嵌合穴１２８と、第２係合部の一例としての第２嵌合穴１２９と、第１係合部の一例としての第３嵌合穴１３０とが形成されている。
【０２５６】
第１嵌合穴１２８および第２嵌合穴１２９は、前後方向において互いに間隔を隔てて形成されている。
【０２５７】
詳しくは、第１嵌合穴１２８は、ドラム支持フレーム１０２の前端部における上下方向略中央部分において、前後方向に延びる側面視略楕円形状に貫通形成されている。
【０２５８】
第１嵌合穴１２８は、図２２に示すように、その上下方向長さが、第１突部１１８の外径と略同じ長さに形成され、その前後方向長さが第１突部１１８の外径よりも長く形成されている。そして、第１嵌合穴１２８には、第１突部１１８が挿通されている。
【０２５９】
第２嵌合穴１２９は、図１７に示すように、ドラム支持フレーム１０２の後端部における上下方向略中央部分において、前後方向に延びる側面視略楕円形状に貫通形成されている。
【０２６０】
第２嵌合穴１２９は、図２２に示すように、その上下方向長さが、第２突部１１９の外径と略同じ長さに形成され、その前後方向長さが第２突部１１９の外径よりも長く形成されている。そして、第２嵌合穴１２９には、第２突部１１９が挿通されている。これにより、第２樹脂フレーム１００に対するドラム支持フレーム１０２の上下方向への移動が規制されている。
【０２６１】
第３嵌合穴１３０は、図１７に示すように、ドラム支持フレーム１０２の下側部分における前後方向略中央部分において、上下方向に延びる側面視略楕円形状に貫通形成されている。つまり、第３嵌合穴１３０は、前後方向において、第１嵌合穴１２８と第２嵌合穴１２９との間に配置されており、第１嵌合穴１２８および第２嵌合穴１２９のそれぞれと前後方向に間隔を隔てて配置されている。
【０２６２】
第３嵌合穴１３０は、図２２に示すように、その上下方向長さが、第３突部１２０の外径よりも長く形成され、その前後方向長さが第３突部１２０の外径と略同じ長さに形成されている。そして、第３嵌合穴１３０には、第３突部１２０が挿通されている。これにより、第２樹脂フレーム１００に対するドラム支持フレーム１０２の上下方向への移動が規制されている。
【０２６３】
また、ドラム支持フレーム１０２には、図１７に示すように、第２供給位置決め部１４５と、第２定着位置決め部１４６と、係合部の一例としての鉤状部１７６とが一体的に設けられている。
【０２６４】
第２供給位置決め部１４５は、ドラム支持フレーム１０２の前端部における上下方向略中央部分から前方へ向かって突出する側面視略矩形状に形成されている。
【０２６５】
第２定着位置決め部１４６は、ドラム支持フレーム１０２の後端部における上下方向略中央部分から後方へ向かって突出する側面視略矩形状に形成されている。
【０２６６】
鉤状部１７６は、図２３に示すように、ドラム支持フレーム１０２の上端部から右方へ向かって突出する略平板形状に形成され、その右端部は、上方に向かって屈曲する断面鉤状に形成されている。そして、鉤状部１７６の右端部は、第２補強板１７７の係合穴１７８に下側から係合している。
【０２６７】
また、ドラム支持フレーム１０２には、図１６に示すように、その右面において、グリッドばね支持部１４７と、クリーニングばね支持部１４８と、ワイヤばね支持部１４９と、第２転写ばね支持部１５０と、複数のベルトばね支持部１５１と、露光位置決め部の一例としての第２ＬＥＤ位置決め部材１８７とが設けられている。
【０２６８】
グリッドばね支持部１４７は、ドラム支持フレーム１０２の右面における上下方向略中央部分において、前後方向に互いに間隔を隔てて、複数、具体的には、４つ並列配置されている。
【０２６９】
グリッドばね支持部１４７は、ドラム支持フレーム１０２の右面から右方に向かって突出する略円筒形状に形成され、その内径が、後述するグリッドばね部１６４の外径と略同径に形成されている。
【０２７０】
また、ドラム支持フレーム１０２において、グリッドばね支持部１４７の左端面に対応する部分には、図１７に示すように、第１貫通口の一例としてのグリッド電極露出穴１３１が形成されている。グリッド電極露出穴１３１は、後述する着脱方向Ｘに延びる側面視略矩形状に貫通形成されている。
【０２７１】
そして、グリッドばね支持部１４７の右端部は、図１５に示すように、対応するグリッド電極挿通穴１０４に挿通されている。
【０２７２】
クリーニングばね支持部１４８は、図１８に示すように、複数のグリッドばね支持部１４７のそれぞれの前下側に僅かに間隔を隔てて設けられている。
【０２７３】
クリーニングばね支持部１４８は、ドラム支持フレーム１０２の右面から右方に向かって突出する略円筒形状に形成され、その内径が、後述するクリーニングばね部１６６の外径と略同径に形成されている。クリーニングばね支持部１４８の左右方向長さは、グリッドばね支持部１４７の左右方向長さよりも短く形成されている。
【０２７４】
また、ドラム支持フレーム１０２において、クリーニングばね支持部１４８の左端面に対応する部分には、図１７に示すように、クリーニング電極露出穴１３２が形成されている。クリーニング電極露出穴１３２は、グリッド電極露出穴１３１の前下側に形成され、後述する着脱方向Ｘに延びる側面視略矩形状に貫通形成されている。
【０２７５】
そして、クリーニングばね支持部１４８の右端部は、図１８に示すように、第２樹脂フレーム１００の左面に支持されるクリーニング配線１０９と左右方向に僅かな間隔を隔てて対向配置されている。
【０２７６】
ワイヤばね支持部１４９は、複数のグリッドばね支持部１４７のそれぞれの前上側に間隔を隔てて設けられている。ワイヤばね支持部１４９は、ドラム支持フレーム１０２の右面から右方に向かって突出する略円筒形状に形成され、その内径が、後述する第２ワイヤばね部１５９の外径と略同径に形成されている。
【０２７７】
また、ドラム支持フレーム１０２において、ワイヤばね支持部１４９の左端面に対応する部分には、図１７に示すように、ワイヤ電極露出穴１４０が形成されている。ワイヤ電極露出穴１４０は、クリーニング電極露出穴１３２の前上側において、側面視略円形状に貫通形成されている。
【０２７８】
第２転写ばね支持部１５０は、図１８に示すように、複数のクリーニングばね支持部１４８のそれぞれの前下側に間隔を隔てて設けられている。
【０２７９】
第２転写ばね支持部１５０は、ドラム支持フレーム１０２の右面から右方に向かって突出する略円筒形状に形成され、その内径が、後述する第２転写ばね部１６８の外径と略同径に形成されている。また、第２転写ばね支持部１５０の左右方向長さは、クリーニングばね支持部１４８の左右方向長さと略同じ長さに形成されている。
【０２８０】
また、ドラム支持フレーム１０２において、第２転写ばね支持部１５０の左端面に対応する部分には、図１７に示すように、転写電極露出穴１３３が形成されている。転写電極露出穴１３３は、上下方向に延びる側面視略矩形状に貫通形成されている。
【０２８１】
そして、第２転写ばね支持部１５０の右端部は、図１８に示すように、第２樹脂フレーム１００に対して左側に配置される転写配線部１２５の遊端部と、左右方向に僅かな間隔を隔てて対向配置されている。
【０２８２】
複数のベルトばね支持部１５１は、具体的に、３つ設けられ、ドラム支持フレーム１０２の右面における下端部において、最も前側の第２転写ばね支持部１５０の後下側に間隔を隔てて設けられている。
【０２８３】
ベルトばね支持部１５１は、ドラム支持フレーム１０２の右面から右方に向かって突出する略円筒形状に形成され、その内径が、後述するベルトばね部１７０の外径と略同径に形成されている。また、ベルトばね支持部１５１の左右方向長さは、グリッドばね支持部１４７の左右方向長さと略同じ長さに形成されている。
【０２８４】
また、ドラム支持フレーム１０２において、ベルトばね支持部１５１の左端面に対応する部分には、図１７に示すように、ベルトクリーニング電極露出穴１３４が形成されている。ベルトクリーニング電極露出穴１３４は、第３嵌合穴１３０の下側に間隔を隔てて形成され、上下方向に延びる側面視略矩形状に貫通形成されている。
【０２８５】
そして、ベルトばね支持部１５１の右端部は、図１５に示すように、対応するベルト電極挿通穴１２１に挿通されている。
【０２８６】
第２ＬＥＤ位置決め部材１８７は、複数のＬＥＤユニット１２のそれぞれに対応するように、前後方向に間隔を隔てて複数、具体的には、４つ設けられている。第２ＬＥＤ位置決め部材１８７は、図２１に示すように、ドラム支持フレーム１０２の右面において、複数の第２ＬＥＤ溝１３６のそれぞれの後側に１つずつ支持されている。
【０２８７】
第２ＬＥＤ位置決め部材１８７は、揺動軸１８８と、揺動部１８９とを備えている。
【０２８８】
揺動軸１８８は、左右方向に延びる略円柱形状に形成され、挟持部２０５の後上側において、相対回転不能に支持されている。揺動部１８９は、下方に向かうに従って幅広となる側面視略扇状に形成されている。
【０２８９】
そして、揺動部１８９は、その上端部が揺動軸１８８に相対回転可能に支持されることにより揺動可能に設けられている。また、揺動部１８９は、常には、図示しないばね部材により、第２ＬＥＤ溝１３６の揺動部開口１８３を介して、揺動部１８９の前端部と挟持部２０５の後端部とが接触するように、左側面視反時計回りに付勢されている。
【０２９０】
また、ドラム支持フレーム１０２には、図１９に示すように、グリッド電極１５４と、クリーニング電極１５５と、ワイヤ電極１５３と、転写電極１５６と、複数のベルトクリーニング電極１５７とが支持されている。なお、グリッド電極１５４、クリーニング電極１５５およびワイヤ電極１５３は、電極部材の一例である。
【０２９１】
グリッド電極１５４は、金属などの導電性を有する材料から形成され、ばね部の一例としてのグリッドばね部１６４と、グリッド接点部１６３とを一体的に有している。
【０２９２】
グリッドばね部１６４は、左右方向に延びる空心コイル状に形成され、その左右方向長さが、グリッドばね支持部１４７の左右方向長さよりも長く形成されている。
【０２９３】
グリッド接点部１６３は、グリッドばね部１６４の左端部から連続して、左方へ向かって突出する略円環形状に形成されている。
【０２９４】
そして、グリッド電極１５４は、図１８に示すように、グリッドばね部１６４が対応するグリッドばね支持部１４７に挿通されるとともに、図２２に示すように、グリッド接点部１６３が対応するグリッド電極露出穴１３１に挿通されることにより、ドラム支持フレーム１０２に支持されている。これにより、ベルトクリーニング電極１５７のグリッドばね部１６４の右端部は、図１５に示すように、右側から露出されている。
【０２９５】
クリーニング電極１５５は、図１９に示すように、金属などの導電性を有する材料から形成され、クリーニングばね部１６６と、クリーニング接点部１６５とを一体的に有している。
【０２９６】
クリーニングばね部１６６は、左右方向に延びる空心コイル状に形成され、その左右方向長さが、クリーニングばね支持部１４８の左右方向長さよりも僅かに長く形成されている。
【０２９７】
クリーニング接点部１６５は、クリーニングばね部１６６の左端部から連続して、左方へ向かって突出する略円環形状に形成されている。
【０２９８】
そして、クリーニング電極１５５は、図１８に示すように、クリーニングばね部１６６が対応するクリーニングばね支持部１４８に挿通されるとともに、図２２に示すように、クリーニング接点部１６５が対応するクリーニング電極露出穴１３２に挿通されることにより、ドラム支持フレーム１０２に支持されている。これにより、クリーニング電極１５５のクリーニングばね部１６６の右端部は、図１８に示すように、クリーニング配線１０９に接触されている。
【０２９９】
ワイヤ電極１５３は、図１９に示すように、金属などの導電性を有する材料から形成され、第２ワイヤばね部１５９と、端子部１６０とを備えている。
【０３００】
第２ワイヤばね部１５９は、左右方向に延びる空心コイル状に形成され、その左右方向長さが、対応するワイヤばね支持部１４９の左右方向長さよりも僅かに長く形成されている。
【０３０１】
端子部１６０は、図１９に示すように、金属などの導電性を有する材料から形成され、軸部１６１と、鍔部１６２とを有している。軸部１６１は、左右方向に延びる略円柱形状に形成され、鍔部１６２は、軸部１６１の外周面における左右方向略中央部分から軸部１６１の径方向外方へ延びる略円板形状に形成されている。そして、端子部１６０は、軸部１６１の右側部分が軸部１６１の内部空間に左側から挿入されることにより、ワイヤ電極１５３の左端部に設けられている。
【０３０２】
そして、ワイヤ電極１５３は、図１８に示すように、第２ワイヤばね部１５９が対応するワイヤばね支持部１４９に挿通されるとともに、図２２に示すように、端子部１６０の軸部１６１が対応するワイヤ電極露出穴１４０に挿通されることにより、ドラム支持フレーム１０２に支持されている。これにより、最も後側のワイヤ電極１５３の第２ワイヤばね部１５９の右端部は、ワイヤ中継電極１０７のワイヤ配線部１１１に接触されている。
また、その他のワイヤ電極１５３の第２ワイヤばね部１５９の右端部は、図１８に示すように、第２ワイヤ中継配線１０８の第１部分１１６に接触されている。
【０３０３】
転写電極１５６は、図１９に示すように、金属などの導電性を有する材料から形成され、第２転写ばね部１６８と、転写接点部１６７とを一体的に有している。
【０３０４】
第２転写ばね部１６８は、左右方向に延びる空心コイル状に形成され、その左右方向長さが、第２転写ばね支持部１５０の左右方向長さよりも僅かに長く形成されている。
【０３０５】
転写接点部１６７は、第２転写ばね部１６８の左端部から連続して、左方へ向かって突出する略円環形状に形成されている。
【０３０６】
そして、転写電極１５６は、図１８に示すように、第２転写ばね部１６８が対応する第２転写ばね支持部１５０に挿通されるとともに、図２２に示すように、転写接点部１６７が対応する転写電極露出穴１３３に挿通されることにより、ドラム支持フレーム１０２に支持されている。これにより、転写電極１５６の第２転写ばね部１６８の右端部は、図１８に示すように、転写中継電極１２３の転写配線部１２５に接触されている。
【０３０７】
また、転写電極１５６は、転写接点部１６７の左端部が、転写ローラ２０と電気的に接続される図示しない転写ローラ電極と接触することにより、転写ローラ２０と電気的に接続されている。
【０３０８】
複数のベルトクリーニング電極１５７は、具体的には、３つ設けられている。また、複数のベルトクリーニング電極１５７のそれぞれは、図１９に示すように、金属などの導電性を有する材料から形成され、ベルトばね部１７０と、ベルト接点部１６９とを一体的に有している。
【０３０９】
ベルトばね部１７０は、左右方向に延びる空心コイル状に形成され、その左右方向長さが、ベルトばね支持部１５１の左右方向長さよりも長く形成されている。
【０３１０】
ベルト接点部１６９は、ベルトばね部１７０の左端部から連続して、左方へ向かって突出する略円環形状に形成されている。
【０３１１】
そして、ベルトクリーニング電極１５７は、図１８に示すように、ベルトばね部１７０が対応するベルトばね支持部１５１に挿通されるとともに、図２２に示すように、ベルト接点部１６９が対応するベルトクリーニング電極露出穴１３４に挿通されることにより、ドラム支持フレーム１０２に支持されている。これにより、ベルトクリーニング電極１５７のベルトばね部１７０の右端部は、図１５に示すように、右側から露出されている。
【０３１２】
また、ベルトクリーニング電極１５７は、ベルト接点部１６９の左端部が、図１に示されるベルトクリーニングユニット２９に設けられる図示しないベルトユニット電極と接触することにより、図１に示されるベルトクリーニングユニット２９と電気的に接続されている。
（２−３）金属プレート
また、ドラム支持フレーム１０２の右面における下側部分には、図１９に示すように、プレートの一例としての金属プレート１０１が固定されている。つまり、金属プレート１０１は、左右方向に投影したときに、第２ドラム案内部１３５の下端部と重なるように配置されている。
【０３１３】
金属プレート１０１は、金属から形成され、前後方向に延びる側面視略矩形状の略平板形状に形成されている。
【０３１４】
また、金属プレート１０１には、複数の突部１７１が一体的に設けられている。複数の突部１７１は、具体的には、４つ設けられ、金属プレート１０１の左面において、前後方向に互いに間隔を隔てて設けられている。
【０３１５】
突部１７１は、金属プレート１０１の左面から左方へ向かって突出するように形成され、平面視略矩形状に形成されている。
【０３１６】
また、金属プレート１０１には、導電部材１７２が支持されている。
【０３１７】
導電部材１７２は、金属などの導電性を有する材料から形成され、コイル部１７３と、シャフト接触部１７４とを一体的に有している。
【０３１８】
コイル部１７３は、左右方向に延びる空心コイル状に形成されている。
【０３１９】
シャフト接触部１７４は、コイル部１７３の左端部から連続して前上方に向かって延びる線形状に形成されている。
【０３２０】
そして、導電部材１７２は、コイル部１７３に金属プレート１０１の突部１７１が挿通されることにより、金属プレート１０１に支持されている。
【０３２１】
また、導電部材１７２は、図２０に示すように、金属プレート１０１とドラム支持フレーム１０２との間に配置されており、ドラム支持フレーム１０２のシャフト嵌合溝１４２の後下側に配置されている。導電部材１７２のシャフト接触部１７４は、シャフト嵌合溝１４２の導電部材露出口１４３を介して、シャフト嵌合溝１４２内に位置している。
（２−４）電源基板
また、右側壁４２には、図１３に示すように、第２樹脂フレーム１００の右側において、基板の一例としての電源基板１７５が設けられている。
【０３２２】
電源基板１７５は、変圧器、蓄電器などを備えた電気回路基板であり、図示しない入力電源から供給された電圧を変圧器により増幅し、増幅した電圧を蓄電器に蓄電し、または、各電極および各配線へ給電するように構成されている。
【０３２３】
そして、電源基板１７５は、第２樹脂フレーム１００の右面に固定されている。
【０３２４】
これにより、第１ワイヤばね部１１２、現像ばね部１８０、グリッドばね部１６４、第１ワイヤばね部１１２、複数のベルトばね部１７０および第１転写ばね部１２４は、それらの右端部が電源基板１７５の左面に接触されることにより、電源基板１７５と電気的に接続されている。
【０３２５】
また、第２ワイヤ中継配線１０８は、第２部分１１７の下端部が電源基板１７５の左面に接触されることにより、電源基板１７５と電気的に接続されている。
【０３２６】
また、クリーニング配線１０９は、接続部１２７がクリーニング配線露出穴１０６を介して、電源基板１７５に支持される図示しないクリーニング中継電極に接触されることにより、電源基板１７５と電気的に接続されている。
（３）補強部
補強部４３は、図８に示すように、複数の端部架設部２１０と、複数のパイプ部２１１とを備えている。
【０３２７】
複数の端部架設部２１０は、具体的には、４つ設けられ、左側壁４１と右側壁４２との各端部すなわち、側面視における四隅を連結するように設けられている。また、複数の端部架設部２１０は、左側壁４１および右側壁４２の前上端部間を架設する第１架設部２１２と、左側壁４１および右側壁４２の後上端部間を架設する第２架設部２１３と、左側壁４１および右側壁４２の前下端部間を架設する第３架設部２１４と、左側壁４１および右側壁４２の後下端部間を架設する第４架設部２１５とを備えている。
【０３２８】
第１架設部２１２および第２架設部２１３のそれぞれは、金属から形成され、左右方向に延びる断面略Ｌ字状に形成されている。
【０３２９】
また、第１架設部２１２は、その左右両端部のそれぞれが、左側壁４１および右側壁４２における前端縁上端部および上端縁前端部からなる側面視略Ｌ字状の部分に固定されている。
【０３３０】
また、第２架設部２１３は、その左右両端部のそれぞれが、左側壁４１および右側壁４２における後端縁上端部および上端縁後端部からなる側面視略Ｌ字状の部分に固定されている。
【０３３１】
第３架設部２１４は、金属から形成され、左右方向に延びる略平板形状に形成されている。また、第３架設部２１４は、その左右両端部のそれぞれが、左側壁４１および右側壁４２における下端縁前端部に固定されている。
【０３３２】
第４架設部２１５は、金属から形成され、左右方向に延びる断面略Ｃ字状に形成されている。また、第４架設部２１５は、図５に示すように、その左右両端部のそれぞれが、左側壁４１および右側壁４２における後下端部に固定されている。
【０３３３】
複数のパイプ部２１１は、前後方向および上下方向のそれぞれにおいて、互いに間隔を隔てて対向配置され、第１連結部の一例としての第１パイプ部８３と、第２連結部の一例としての第２パイプ部８４とを備えている。
【０３３４】
第１パイプ部８３および第２パイプ部８４のそれぞれは、金属から形成され、左右方向に延びる略円柱形状に形成されている。
【０３３５】
そして、第１パイプ部８３は、図７に示すように、その左端部が、最も前側の第１ドラム案内部４８の下側において、左側壁４１の第１樹脂フレーム４５における右面に固定され、その右端部が、図１９に示すように、金属プレート１０１の前端部の下側において、右側壁４２の第２樹脂フレーム１００における左面に固定されている。
【０３３６】
つまり、第１パイプ部８３は、図７および図１９に示すように、第１樹脂フレーム４５の右面における前下側部分と、第２樹脂フレーム１００の左面における前下側部分との間に架設されている。
【０３３７】
また、第２パイプ部８４は、図７に示すように、その左端部が、最も後側の第１ドラム案内部４８の後側において、左側壁４１の第１樹脂フレーム４５における右面に固定され、その右端部が、図１９に示すように、金属プレート１０１の後端部の上側において、右側壁４２の第２樹脂フレーム１００における左面に固定されている。
【０３３８】
つまり、第２パイプ部８４は、図７および図１９に示すように、第１樹脂フレーム４５の右面における後上側部分と、第２樹脂フレーム１００の左面における後上側部分との間に架設されている。
【０３３９】
また、金属プレート１０１は、図１９に示すように、前後方向において、第１パイプ部８３と第２パイプ部８４との間に配置され、かつ、上下方向において、第１パイプ部８３と第２パイプ部８４との間に配置されている。
（４）ＬＥＤユニット、給紙ユニットおよび定着ユニット
（４−１）ＬＥＤユニット
ＬＥＤユニット１２は、図６に示すように、ＬＥＤアレイ２１６と、ＬＥＤアレイ２１６を支持するＬＥＤフレーム２１７とを備えている。
【０３４０】
ＬＥＤアレイ２１６は、ＬＥＤユニット１２の下端部に配置されている。ＬＥＤアレイ２１６は、左右方向に延びる略平板状に形成され、左右方向に並列配置される多数のＬＥＤを一体的に保持している。
【０３４１】
ＬＥＤフレーム２１７は、ＬＥＤアレイ２１６の下側に配置されている。ＬＥＤフレーム２１７は、左右方向に延びる正面視略矩形状に形成されている。ＬＥＤフレーム２１７は、その下端部において、ＬＥＤアレイ２１６を支持している。
【０３４２】
また、ＬＥＤフレーム２１７には、１対のＬＥＤ突出部２１８が設けられている。
【０３４３】
ＬＥＤ突出部２１８は、図１２および図２１に示すように、ＬＥＤフレーム２１７の左右両端部のそれぞれに設けられ、ＬＥＤフレーム２１７の左右両端面のそれぞれから左右方向外方へ向かって突出する略平板形状に形成されている。ＬＥＤ突出部２１８は、断面形状の上下方向に延びるように形成されている。
【０３４４】
そして、ＬＥＤユニット１２は、そのＬＥＤフレーム２１７の上端部がトップカバー６の下面に固定されることにより、トップカバー６に支持されている。そのため、ＬＥＤユニット１２は、トップカバー６の揺動に伴って、上下方向に移動される。
（４−２）給紙ユニット
給紙ユニット３６は、給紙フレーム２１９を備えている。
【０３４５】
給紙フレーム２１９は、上下方向に延びる側面視略矩形状の略ボックス形状に形成され、その内部において、ピックアップローラ８、分離ローラ５８、給紙ローラ９およびレジストローラ１０を支持している。
【０３４６】
また、給紙フレーム２１９には、１対の第１供給ボス１８４と、１対の第２供給ボス１８５とが設けられている。
【０３４７】
第１供給ボス１８４は、図１１および図２２に示すように、給紙フレーム２１９の左右両端部のそれぞれに設けられ、給紙フレーム２１９の左右両端面における上側部分のそれぞれから左右方向外方へ向かって突出する略円柱形状に形成されている。
【０３４８】
第２供給ボス１８５は、給紙フレーム２１９の左右両端面において、第１供給ボス１８４の下側に間隔を隔てて設けられ、給紙フレーム２１９の左右両端面のそれぞれから左右方向外方へ向かって突出する略円柱形状に形成されている。
【０３４９】
そして、給紙ユニット３６は、左側壁４１および右側壁４２の前端部間に配置されている。
【０３５０】
また、左側の第１供給ボス１８４は、図１１に示すように、第１樹脂フレーム４５の第１給紙ボス穴５２に挿通され、金属フレーム４６の第１供給位置決め部６３に前側から当接するとともに、左側の第２供給ボス１８５は、第１樹脂フレーム４５の第１給紙ボス溝５１に嵌合され、第１給紙ボス溝５１の後端部に前側から当接している。
【０３５１】
また、右側の第１供給ボス１８４は、図２２に示すように、ドラム支持フレーム１０２の第２供給位置決め部１４５に前側から当接するとともに、左側の第２供給ボス１８５は、第２樹脂フレーム１００の第２給紙ボス溝１７９に嵌合され、第２給紙ボス溝１７９の後端部に前側から当接している。
【０３５２】
これにより、給紙ユニット３６は、その左右両端部がそれぞれ前後方向において位置決めされ、左側壁４１および右側壁４２のそれぞれに対して後方に向かって移動することが規制されている。
（４−３）定着ユニット
定着ユニット１４は、定着フレーム２２０を備えている。
【０３５３】
定着フレーム２２０は、側面視略矩形状の略ボックス形状に形成され、その内部において、加熱ローラ２１および加圧ローラ２２を支持している。
【０３５４】
また、定着フレーム２２０には、１対の定着ボス１８６が設けられている。
【０３５５】
定着ボス１８６は、図１１および図２２に示すように、定着フレーム２２０の左右両端部のそれぞれに設けられ、定着フレーム２２０の左右両端面における略中央部分のそれぞれから左右方向外方へ向かって突出する略杆状に形成されている。
【０３５６】
そして、定着ユニット１４は、左側壁４１および右側壁４２の後端部間に配置されている。
【０３５７】
また、左側の定着ボス１８６は、図１１に示すように、第１樹脂フレーム４５の第１定着ボス穴５３に挿通され、金属フレーム４６の第１定着位置決め部６４に後側から当接している。
【０３５８】
また、右側の定着ボス１８６は、図２２に示すように、ドラム支持フレーム１０２の第２定着位置決め部１４６に後側から当接している。
【０３５９】
これにより、定着ユニット１４は、その左右両端部がそれぞれ前後方向において位置決めされ、左側壁４１および右側壁４２のそれぞれに対して前方に向かって移動することが規制されている。
４．本体ケーシングに対するプロセスカートリッジの着脱動作
プロセスカートリッジ１１を本体ケーシング２に装着するには、トップカバー６を図示しない開放位置に配置して、本体開口部５を開放する。
【０３６０】
そして、プロセスカートリッジ１１を、図１１および図２２に示すように、左側の軸受部材３２が対応する第１ガイド溝５６に嵌合されるとともに、図３（ａ）に示される右側の軸受部材３２が対応する第２ガイド溝１３９に嵌合されるように、上側から挿入する。
【０３６１】
そうすると、プロセスカートリッジ１１は、左側の軸受部材３２が第１レール部９０に、右側の軸受部材３２が第２レール部１３７にそれぞれガイドされることにより、着脱方向Ｘに沿って、後下方へ向かって移動される。つまり、第１ガイド溝５６および第２ガイド溝１３９は、プロセスカートリッジ１１の本体ケーシング２に対する着脱をガイドする。
【０３６２】
そして、左側の軸受部材３２が第１湾曲部９１に、右側の軸受部材３２が第２湾曲部１３８に到達すると、プロセスカートリッジ１１のそれ以上の移動が規制され、プロセスカートリッジ１１が所定の装着位置に配置される。
【０３６３】
このとき、左側の軸受部材３２は、前側の第１位置決め凸部６１に前下側から当接されるともに、後側の第１位置決め凸部６１に後下側から当接される。
【０３６４】
また、右側の軸受部材３２は、前側の第２位置決め凸部１４１に前下側から当接されるともに、後側の第２位置決め凸部１４１に後下側から当接される。
【０３６５】
これにより、感光ドラム１５は、その左端部、すなわち左側のフランジ部材１９１が、左側の軸受部材３２を介して１対の第１位置決め凸部６１に支持され、その右端部、すなわち右側のフランジ部材１９１が、右側の軸受部材３２を介して１対の第２位置決め凸部１４１に支持される。
【０３６６】
このとき、シャフト１９３の右端部は、図２４に示すように、シャフト嵌合溝１４２の最深部に嵌合されており、導電部材１７２のシャフト接触部１７４に後側から接触されている。そのため、シャフト１９３は、導電部材１７２を介して、金属プレート１０１に電気的に接続される。
【０３６７】
また、現像電極部材２０１の受電部２０２は、図２０に示すように、現像電極露出穴１４４と前後方向に対向配置され、現像電極露出穴１４４を介して、現像電極１１０の現像接点部１８１に後側から接触されている。これにより、受電部２０２と現像電極１１０とが、電気的に接続される。
【０３６８】
また、図２２に示すように、カートリッジ側グリッド電極９５と、グリッド電極１５４のグリッド接点部１６３とが、接触して電気的に接続される。
【０３６９】
また、カートリッジ側クリーナ電極９７と、クリーニング電極１５５のクリーニング接点部１６５とが、接触して電気的に接続される。
【０３７０】
また、カートリッジ側ワイヤ電極９６と、ワイヤ電極１５３の軸部１６１とが、接触して電気的に接続される。
【０３７１】
そのため、画像形成動作時において、電源基板１７５からの電力が、現像ローラ１６、供給ローラ２７、帯電ワイヤ３３、グリッド３４およびクリーニングローラ３５のそれぞれに供給される。
【０３７２】
また、プロセスカートリッジ１１の感光ドラム１５は、左右方向に投影したときに、金属プレート１０１と重なるように配置されている。
【０３７３】
次いで、図１に示すように、トップカバー６を図示しない開放位置から閉鎖位置に移動させて、本体開口部５を閉鎖する。
【０３７４】
このとき、ＬＥＤユニット１２がトップカバー６の移動に伴って、上側から下側へ向かって移動される。
【０３７５】
そうすると、ＬＥＤフレーム２１７の左側のＬＥＤ突出部２１８が、図１２に示すように、挟持部６９と揺動部６７の頭部７７との間に上側から進入し、揺動部６７が図示しないばね部材の付勢力に抗して、右側面視時計回りに回動される。これにより、左側のＬＥＤ突出部２１８が、挟持部６９と揺動部６７の頭部７７との間に挟持され、前後方向において位置決めされる。
【０３７６】
また、ＬＥＤフレーム２１７の右側のＬＥＤ突出部２１８が、図２１に示すように、挟持部２０５と揺動部１８９との間に上側から進入し、揺動部１８９が図示しないばね部材の付勢力に抗して、左側面視反時計回りに回動される。これにより、右側のＬＥＤ突出部２１８が、挟持部２０５と揺動部１８９との間に挟持され、前後方向において位置決めされる。
【０３７７】
つまり、ＬＥＤユニット１２は、図１２および図２１に示すように、その左端部、すなわち左側のＬＥＤ突出部２１８が第１ＬＥＤ位置決め部材６６により、前後方向において位置決めされるとともに、その右端部、すなわち右側のＬＥＤ突出部２１８が第２ＬＥＤ位置決め部材１８７により、前後方向において位置決めされる。
【０３７８】
また、ドラム本体カップリング７１および現像本体カップリング７２のそれぞれは、進出位置に配置される。これにより、ドラム本体カップリング７１は、左側のフランジ部材１９１のカップリング嵌合部１９２に相対回転不能に連結され、現像本体カップリング７２は、現像カップリング１９７の結合凹部１９９に相対回転不能に嵌合する。そして、画像形成動作時において、モータ７０から回転駆動力が、左側のフランジ部材１９１および現像カップリング１９７のそれぞれに伝達される。
【０３７９】
以上によって、プロセスカートリッジ１１の本体ケーシング２に装着動作が完了する。
【０３８０】
なお、上記の手順と逆の手順により、プロセスカートリッジ１１を本体ケーシング２から離脱させることができる。
５．作用効果
（１）プリンタ１では、図２２に示すように、複数の感光ドラム１５の右端部、すなわち軸線方向一方側端部のそれぞれが、樹脂から形成されるドラム支持フレーム１０２に支持され、そのドラム支持フレーム１０２が、左右方向、すなわち軸線方向から見てドラム支持フレーム１０２よりも大きい第２樹脂フレーム１００に支持されている。
【０３８１】
つまり、複数の感光ドラム１５の右端部のそれぞれを支持するドラム支持フレーム１０２は、プリンタ１の主体的なフレームである第２樹脂フレーム１００に支持されている。
【０３８２】
そのため、感光ドラム１５の右端部を支持するフレーム、すなわちドラム支持フレーム１０２および第２樹脂フレーム１００の剛性を確保することができ、感光ドラム１５の右端部の本体ケーシング２に対する位置決め精度の向上を図ることができる。
【０３８３】
その結果、ドラム支持フレーム１０２および第２樹脂フレーム１００のそれぞれが樹脂から形成されていても、複数の感光ドラム１５の相対的な位置関係、すなわちドラムピッチを一定に保つことができる。
【０３８４】
従って、複数の感光ドラム１５の相対的な位置関係を一定に保つことができながら、材料コストの低減および軽量化を図ることができる。
【０３８５】
また、ドラム支持フレーム１０２および第２樹脂フレーム１００のそれぞれを適した材料の樹脂から形成することができる。
（２）また、ドラム支持フレーム１０２は、第２樹脂フレーム１００よりも熱膨張率が小さい、ガラス繊維が含有されるポリカーボネートなどの樹脂から形成されている。
【０３８６】
そのため、第２樹脂フレーム１００と比較して、ドラム支持フレーム１０２の温度変化に起因する変形、例えば撓みを抑制できる。
【０３８７】
従って、温度が変化した場合であっても、複数の感光ドラム１５の相対的な位置関係の変化を抑制できる。
【０３８８】
また、相対的に熱膨張率が小さい樹脂から形成されるドラム支持フレーム１０２が、相対的に熱膨張率が大きい樹脂から形成される第２樹脂フレーム１００に支持されている。しかるに、熱膨張率が小さい樹脂は、熱膨張率が大きい樹脂よりも一般的に高価である。
【０３８９】
つまり、複数の感光ドラム１５の右端部を支持する部分、すなわちドラム支持フレーム１０２のみを高価な樹脂から形成し、その他の部分、すなわち第２樹脂フレーム１００を、安価な樹脂から形成することができるので、材料コストのさらなる低減を図ることができる。
（３）また、ドラム支持フレーム１０２は、図２２に示すように、第３嵌合穴１３０と、第３嵌合穴１３０から前後方向に間隔を隔てて配置される第１嵌合穴１２８および第２嵌合穴１２９とを有している。
【０３９０】
また、第２樹脂フレーム１００は、第１突部１１８と、第２突部１１９と、第３突部１２０とを有している。
【０３９１】
そして、第３突部１２０が第３嵌合穴１３０に嵌合されることにより、第２樹脂フレーム１００に対するドラム支持フレーム１０２の前後方向への相対移動が規制される。また、第１突部１１８および第２突部１１９が、第１嵌合穴１２８および第２嵌合穴１２９のそれぞれに嵌合されることにより、第２樹脂フレーム１００に対するドラム支持フレーム１０２の上下方向への移動が規制される。
【０３９２】
つまり、第３嵌合穴１３０と第３嵌合穴１３０との係合部分において、ドラム支持フレーム１０２は、前後方向への相対移動が規制されるとともに、上下方向への相対移動が許容されている。
【０３９３】
また、第１突部１１８および第２突部１１９と、第１嵌合穴１２８および第２嵌合穴１２９との係合部分において、ドラム支持フレーム１０２は、上下方向への相対移動が規制されるとともに、前後方向への相対移動が許容されている。
【０３９４】
そのため、温度変化に起因して第２樹脂フレーム１００が変形すると、第３嵌合穴１３０と第３嵌合穴１３０との係合部分において、第２樹脂フレーム１００の上下方向への変形が許容され、第１突部１１８および第２突部１１９と、第１嵌合穴１２８および第２嵌合穴１２９との係合部分において、第２樹脂フレーム１００の前後方向への変形が許容される。
【０３９５】
その結果、温度変化に起因して第２樹脂フレーム１００が変形しても、感光ドラム１５の右端部を支持するドラム支持フレーム１０２が第２樹脂フレーム１００の変形に追従して変形することを抑制できる。
【０３９６】
従って、温度変化が生じても、複数の感光ドラム１５の相対的な位置関係の変化をより一層確実に抑制できる。
（４）また、ドラム支持フレーム１０２は、図１８に示すように、現像カートリッジ２５と電気的に接続される電極部材、具体的には、グリッド電極１５４、クリーニング電極１５５、ワイヤ電極１５３、転写電極１５６、および、複数のベルトクリーニング電極１５７を支持している。
【０３９７】
つまり、樹脂から形成されるドラム支持フレーム１０２が電極部材を支持しているので、ドラム支持フレーム１０２と電極部材とを電気的に絶縁するための構成を別途設ける必要がなく、ドラム支持フレーム１０２または電極部材の構成を簡略化でき、また、電極部材の配置の自由度の向上を図ることができる。
（５）また、右側壁４２は、グリッド電極１５４を介して、現像カートリッジ２５に電力を供給する電源基板１７５を備えている。
【０３９８】
また、グリッド電極１５４のグリッド接点部１６３が、図１５および図２２に示すように、グリッド電極露出穴１３１を介して、プロセスカートリッジ１１のカートリッジ側グリッド電極９５と接触し、グリッド電極１５４のグリッドばね部１６４の右端部は、グリッド電極挿通穴１０４を介して、電源基板１７５と接触している。
【０３９９】
そのため、グリッド電極１５４のグリッドばね部１６４の付勢力により、グリッド接点部１６３とカートリッジ側グリッド電極９５との接触、および、グリッドばね部１６４の右端部と電源基板１７５との接触を確実に確保することができる。その結果、電源基板１７５からの電力をグリッド電極１５４を介してプロセスカートリッジ１１に確実に供給することができる。
【０４００】
また、グリッドばね部１６４の付勢力は、プロセスカートリッジ１１および電源基板１７５のそれぞれに作用し、ドラム支持フレーム１０２および第２樹脂フレーム１００のそれぞれに作用することが抑制される。
【０４０１】
そのため、ドラム支持フレーム１０２および第２樹脂フレーム１００のそれぞれが、グリッドばね部１６４の付勢力により変形することを抑制できる。
【０４０２】
従って、電源基板１７５からの電力をグリッド電極１５４を介してプロセスカートリッジ１１に確実に供給することができながら、ドラム支持フレーム１０２および第２樹脂フレーム１００のそれぞれが、変形することを抑制できる。
（６）また、複数の感光ドラム１５のそれぞれは、図１に示すように、プロセスカートリッジ１１に備えられており、本体ケーシング２に対して着脱可能である。
【０４０３】
そのため、感光ドラム１５が寿命を迎えた場合において、寿命を迎えた感光ドラム１５を備えるプロセスカートリッジ１１のみを交換することができる。
【０４０４】
その結果、複数の感光ドラム１５が本体ケーシング２に対して着脱不能に構成されている場合と比較して、ランニングコストの低減を図ることができる。
（７）また、ドラム支持フレーム１０２には、図２２に示すように、感光ドラム１５を有するプロセスカートリッジ１１が本体ケーシング２に対して着脱されるときに、感光ドラム１５の右端部を、軸受部材３２を介して案内する第２ガイド溝１３９が形成されている。
【０４０５】
そのため、プロセスカートリッジ１１の本体ケーシング２に対する円滑な着脱動作を確保することができる。
【０４０６】
また、第２ガイド溝１３９は、樹脂から形成されるドラム支持フレーム１０２に形成されているので、第２ガイド溝１３９を有するドラム支持フレーム１０２は、樹脂から一体成形することができる。
【０４０７】
そのため、ドラム支持フレーム１０２を成形した後、第２ガイド溝１３９を形成する場合と比較して、第２ガイド溝１３９を容易に形成でき、製造コストの低減を図ることができる。
（８）また、プリンタ１は、図１に示すように、複数のＬＥＤユニット１２を備えている。
【０４０８】
そして、ＬＥＤユニット１２の右側のＬＥＤ突出部２１８が、図２１に示すように、ドラム支持フレーム１０２の第２ＬＥＤ位置決め部材１８７により前後方向において位置決めされているので、ＬＥＤユニット１２の右端部と、感光ドラム１５の右端部とがともに、ドラム支持フレーム１０２に位置決めされている。
【０４０９】
そのため、感光ドラム１５と、その感光ドラム１５に対応するＬＥＤユニット１２との相対的な位置決め精度の向上を図ることができ、ＬＥＤユニット１２が対応する感光ドラム１５を確実に露光することができる。
（９）また、プリンタ１は、図１に示すように、給紙ユニット３６を備えている。
【０４１０】
そして、給紙ユニット３６の第１供給ボス１８４が、図２２に示すように、ドラム支持フレーム１０２の第２供給位置決め部１４５により位置決めされている。
【０４１１】
つまり、給紙ユニット３６の右端部と、感光ドラム１５の右端部とがともに、ドラム支持フレーム１０２に位置決めされている。
【０４１２】
そのため、給紙ユニット３６と、複数の感光ドラム１５のそれぞれとの相対的な位置決め精度の向上を図ることができ、給紙ユニット３６から用紙Ｓを感光ドラム１５に向かって確実に供給することができる。
（１０）また、プリンタ１は、図１に示すように、定着ユニット１４を備えている。
【０４１３】
そして、定着ユニット１４の定着ボス１８６が、図２２に示すように、ドラム支持フレーム１０２の第２定着位置決め部１４６により位置決めされている。
【０４１４】
つまり、定着ユニット１４の右端部と、感光ドラム１５の右端部とがともに、ドラム支持フレーム１０２に位置決めされている。
【０４１５】
そのため、定着ユニット１４と、複数の感光ドラム１５のそれぞれとの相対的な位置決め精度の向上を図ることができ、感光ドラム１５の周面から転写されたトナー像を、確実に用紙Ｓに定着させることができる。
（１１）本体ケーシング２が、図８に示すように、第２樹脂フレーム１００と第３フレームとを連結する第１パイプ部８３および第２パイプ部８４を備えているので、第２樹脂フレーム１００と第３フレームとの相対的な位置関係を一定に保つことができるとともに、本体ケーシング２全体の剛性の向上を図ることができる。
（１２）また、金属から形成される金属プレート１０１が、図１９に示すように、前後方向における第１パイプ部８３と第２パイプ部８４との間に配置されるように、ドラム支持フレーム１０２に支持されているので、ドラム支持フレーム１０２が変形することを抑制でき、さらには、第２樹脂フレーム１００が変形することも抑制できる。
【０４１６】
そのため、ドラム支持フレーム１０２に支持される感光ドラム１５の右端部の本体ケーシング２に対する位置決め精度のさらなる向上を図ることができる。
（１３）また、金属プレート１０１は、図２０に示すように、複数の感光ドラム１５のそれぞれと、導電部材１７２を介して、電気的に接続されている。
【０４１７】
そのため、金属プレート１０１をアースの一部として構成することができる。
【０４１８】
その結果、ドラム支持フレーム１０２の変形を抑制することができながら、金属プレート１０１を有効に活用でき、複数の感光ドラム１５のそれぞれを、金属プレート１０１を介して接地させることができる。
（１４）また、第２樹脂フレーム１００には、上端部に、金属から形成される第２補強板１７７が設けられている。
【０４１９】
そのため、第２樹脂フレーム１００の温度変化に起因する変形を確実に抑制することができる。
（１５）また、ドラム支持フレーム１０２には、図２３に示すように、鉤状部１７６が設けられている。そして、鉤状部１７６は、第２補強板１７７の係合穴１７８に係合されている。
【０４２０】
そのため、ドラム支持フレーム１０２の温度変化に起因する変形を確実に抑制することができる。
【符号の説明】
【０４２１】
１      プリンタ
２      本体ケーシング
１２    ＬＥＤユニット
１４    定着ユニット
１５    感光ドラム
３６    給紙ユニット
８３    第１パイプ部
８４    第２パイプ部
１００  第２樹脂フレーム
１０１  金属プレート
１０２  ドラム支持フレーム
１３９  第２ガイド溝
１４１  第２位置決め凸部
１４５  第２供給位置決め部
１４６  第２定着位置決め部
１５４  グリッド電極
１７５  電源基板
１７６  鉤状部
１７８  係合穴
１８７  第２ＬＥＤ位置決め部材
Ａ      軸線
【図１】
2014063076.tif 000003
【図２】
2014063076.tif 000004
【図３】
2014063076.tif 000005
【図４】
2014063076.tif 000006
【図５】
2014063076.tif 000007
【図６】
2014063076.tif 000008
【図７】
2014063076.tif 000009
【図８】
2014063076.tif 000010
【図９】
2014063076.tif 000011
【図１０】
2014063076.tif 000012
【図１１】
2014063076.tif 000013
【図１２】
2014063076.tif 000014
【図１３】
2014063076.tif 000015
【図１４】
2014063076.tif 000016
【図１５】
2014063076.tif 000017
【図１６】
2014063076.tif 000018
【図１７】
2014063076.tif 000019
【図１８】
2014063076.tif 000020
【図１９】
2014063076.tif 000021
【図２０】
2014063076.tif 000022
【図２１】
2014063076.tif 000023
【図２２】
2014063076.tif 000024
【図２３】
2014063076.tif 000025
【図２４】
2014063076.tif 000026